(57)【特許請求の範囲】
【請求項１】
電力を負荷部に供給する電力供給システムであって、
再生可能エネルギーを利用して発電された電力と外部の電力系統から供給される電力の両方もしくは一方を用いて水素を生成する水素発生装置と、
前記水素発生装置によって生成された水素を貯蔵する水素貯蔵装置と、
前記水素貯蔵装置で貯蔵された水素を用いて発電を行い、当該発電によって発生した電力を前記負荷部に出力する燃料電池発電装置と、
当該電力供給システムの動作を制御する制御装置と
を有し、
前記制御装置は、
前記水素貯蔵装置が貯蔵する水素の貯蔵量が目標時点において目標量に達するように前記水素発生装置の動作を制御する水素貯蔵モードでは、前記負荷部で消費する電力が前記再生可能エネルギーを利用して発電された電力よりも大きい場合には、前記電力系統から供給される電力を前記負荷部へ供給するとともに、前記再生可能エネルギーを利用して発電された電力と前記電力系統から供給される電力の両方もしくは一方を用いて水素を生成することで前記水素貯蔵装置が貯蔵する水素の貯蔵量が目標時点において目標量に達するように前記水素発生装置の動作を制御する、電力供給システム。
【請求項２】
前記再生可能エネルギーを利用して電力を発電する再生可能エネルギー発電装置を有し、
前記制御装置は、売電モードでは、前記再生可能エネルギー発電装置で発電された電力を外部の電力系統へ優先して出力するように、当該電力供給システムの動作を制御する、請求項１に記載の電力供給システム。
【請求項３】
前記再生可能エネルギーを利用して電力を発電する再生可能エネルギー発電装置を有し、
前記制御装置は、内部負荷モードでは、前記負荷部で使用される電力の使用量に基づいて、前記再生可能エネルギー発電装置で発電された電力を、外部の電力系統から供給される電力および前記燃料電池発電装置で発電される電力よりも優先させて前記負荷部へ供給するように、当該電力供給システムの動作を制御する、請求項１に記載の電力供給システム。
【請求項４】
前記再生可能エネルギーを利用して電力を発電する再生可能エネルギー発電装置を有し、
前記制御装置は、自立運転モードでは、外部の電力系統からの電力の供給を受けることなく、かつ、前記再生可能エネルギー発電装置で発電された電力を前記負荷部に優先して出力するように、当該電力供給システムの動作を制御する、請求項１に記載の電力供給システム。
【請求項５】
前記再生可能エネルギーを利用して電力を発電する再生可能エネルギー発電装置を有し、
前記制御装置は、前記水素貯蔵装置から外部水素使用装置に水素を供給する水素外部供給モードでは、前記再生可能エネルギー発電装置で発電された電力を前記水素発生装置に優先して供給するように、当該電力供給システムの動作を制御する、請求項１に記載の電力供給システム。
【請求項６】
再生可能エネルギーを利用して発電された電力と外部の電力系統から供給される電力の両方もしくは一方を用いて水素を生成する水素発生装置と、前記水素発生装置によって生成された水素を貯蔵する水素貯蔵装置と、前記水素貯蔵装置で貯蔵された水素を用いて発電を行い、当該発電によって発生した電力を負荷部に出力する燃料電池発電装置とを有する電力供給システムの制御方法であって、
前記水素貯蔵装置が貯蔵する水素の貯蔵量が目標時点において目標量に達するように前記水素発生装置の動作を制御する水素貯蔵モードでは、前記負荷部で消費する電力が前記再生可能エネルギーを利用して発電された電力よりも大きい場合には、前記電力系統から供給される電力を前記負荷部へ供給するとともに、前記再生可能エネルギーを利用して発電された電力と前記電力系統から供給される電力の両方もしくは一方を用いて水素を生成することで前記水素貯蔵装置が貯蔵する水素の貯蔵量が目標時点において目標量に達するように前記水素発生装置の動作を制御する、電力供給システムの制御方法。
【発明の詳細な説明】
【技術分野】
【０００１】
本発明の実施形態は、電力供給システムおよびその制御方法に関する。
【背景技術】
【０００２】
再生可能エネルギー発電装置は、太陽光、風力などの再生可能エネルギー（自然エネルギー）を用いて発電を行う装置である。再生可能エネルギー発電装置は、二酸化炭素の排出量を削減するために広く利用されている。
【０００３】
再生可能エネルギー発電装置は、発電出力の変動が大きい。このため、電力供給の安定化のために、再生可能エネルギー発電装置で発電された電力を二次電池に蓄えることが行なわれている。この他に、再生可能エネルギーを利用して発電された電力を用いて水素を生成し、その生成した水素を用いて燃料電池発電装置で発電を行う電力供給システム等が提案されている。
【先行技術文献】
【非特許文献】
【０００４】
【非特許文献１】”水素・燃料電池について”、［ｏｎｌｉｎｅ］、平成２５年１２月、総合エネルギー調査会、［平成２６年１２月１９日検索］、インターネット<URL: http://www.meti.go.jp/committee/kenkyukai/energy/suiso_nenryodenchi/pdf/001_04_00.pdf>
【発明の概要】
【発明が解決しようとする課題】
【０００５】
しかし、上記の電力供給システムにおいては、再生可能エネルギーを利用して発電された電力を用いて水素の生成を行うこと等に起因して、水素の貯蔵量が不安定になる場合がある。このため、必要なときに、水素の貯蔵量が十分でない場合があるので、水素の供給が不十分になる場合がある。その結果、必要に応じて、燃料電池発電装置において発電を行うことができない場合がある。
【０００６】
本発明が解決しようとする課題は、必要なときに水素の供給を十分に行うことが可能であって、必要に応じて燃料電池発電装置において発電を行うことが可能な電力供給システムおよびその制御方法を提供することである。
【課題を解決するための手段】
【０００７】
実施形態の電力供給システムは、水素発生装置と水素貯蔵装置と燃料電池発電装置と制御装置と有し、電力を負荷部に供給する。水素発生装置は、再生可能エネルギーを利用して発電された電力を用いて水素を生成する。水素貯蔵装置は、水素発生装置によって生成された水素を貯蔵する。燃料電池発電装置は、水素貯蔵装置で貯蔵された水素を用いて発電を行い、その発電によって発生した電力を負荷部に出力する。制御装置は、電力供給システムの動作を制御する。ここでは、制御装置は、水素貯蔵モードでは、水素貯蔵装置が貯蔵する水素の貯蔵量が目標量に達するように、電力供給システムの動作を制御する。
【図面の簡単な説明】
【０００８】
【図１】実施形態に係る電力供給システムの全体構成を模式的に示すブロック図。
【図２】実施形態に係る電力供給システムを構成する部材の要部を示すブロック図。
【図３】実施形態に係る電力供給システムを構成する部材の要部を示すブロック図。
【図４】実施形態に係る電力供給システムを構成する部材の要部を示すブロック図。
【図５Ａ】実施形態に係る電力供給システムの動作を示す図。
【図５Ｂ】実施形態に係る電力供給システムの動作を示す図。
【図６Ａ】実施形態に係る電力供給システムの動作を示す図。
【図６Ｂ】実施形態に係る電力供給システムの動作を示す図。
【図７Ａ】実施形態に係る電力供給システムの動作を示す図。
【図７Ｂ】実施形態に係る電力供給システムの動作を示す図。
【図８Ａ】実施形態に係る電力供給システムの動作を示す図。
【図８Ｂ】実施形態に係る電力供給システムの動作を示す図。
【図９Ａ】実施形態に係る電力供給システムの動作を示す図。
【図９Ｂ】実施形態に係る電力供給システムの動作を示す図。
【発明を実施するための形態】
【０００９】
［Ａ］電力供給システム１の構成
図１は、実施形態に係る電力供給システム１の全体構成を模式的に示すブロック図である。図１においては、実線の矢印が電力の流れを示し、破線の矢印が水素の流れを示している。また、一点鎖線の矢印が水の流れを示しており、二点鎖線が信号の流れを示している。
【００１０】
図１に示すように、実施形態の電力供給システム１は、再生可能エネルギー発電装置１０と水素発生装置４０と水素貯蔵装置５０と燃料電池発電装置６０と制御装置７０とを備えている。
【００１１】
詳細については後述するが、電力供給システム１は、電気機器を備えた外部の負荷部３に電力Ｅ１０ａ，Ｅ６０を供給するように構成されている。また、電力供給システム１は、水を加熱し、温水利用機器を備えた負荷部３に、その加熱した水Ｗ６０（温水，熱媒）を供給するように構成されている。この他に、電力供給システム１は、外部の電力系統２へ電力Ｅ１０ｃを出力するように構成されている。
【００１２】
図２、図３、および、図４は、実施形態に係る電力供給システム１を構成する部材の要部を示すブロック図である。図２は、水素発生装置４０の要部を示している。図３は、水素貯蔵装置５０の要部を示している。図４は、燃料電池発電装置６０の要部を示している。
【００１３】
電力供給システム１を構成する各部について、各図を用いて、順次、説明する。
【００１４】
［Ａ−１］再生可能エネルギー発電装置１０
電力供給システム１において、再生可能エネルギー発電装置１０は、再生可能エネルギーを利用して発電を行う装置であって、図１に示すように、電力Ｅ１０を出力するように構成されている。
【００１５】
再生可能エネルギー発電装置１０は、たとえば、太陽光発電（ＰＶ）装置であって、太陽電池（図示省略）を含み、太陽光を太陽電池で受光し、太陽電池において光電変換を行うことによって、発電を行う。
【００１６】
図示を省略しているが、再生可能エネルギー発電装置１０が出力する電力Ｅ１０は、たとえば、パワーコンディショナ装置（図示省略）によって調整される。再生可能エネルギー発電装置１０が出力した電力Ｅ１０は、たとえば、パワーコンディショナ装置において、電力系統２（商用電源）が供給する電力Ｅ２と同様に、負荷部３において利用可能になるように変換される。ここでは、再生可能エネルギー発電装置１０が出力した直流電力がコンバータによって所定の電圧幅内になるように調整され、その調整された直流電力がインバータによって交流電力に変換される。
【００１７】
再生可能エネルギー発電装置１０が発電した電力Ｅ１０は、水素発生装置４０、電力系統２、負荷部３のうち、少なくとも１つに出力される。ここでは、再生可能エネルギー発電装置１０は、制御装置７０が出力した制御信号ＣＴＬ７０に応じて、負荷部３へ電力Ｅ１０ａを出力し、水素発生装置４０へ電力Ｅ１０ｂを出力し、電力系統２へ電力Ｅ１０ｃを出力する。具体的には、再生可能エネルギー発電装置１０と各部との間に設けられたスイッチ（図示省略）が制御信号ＣＴＬ７０に応じてオン状態に切り替えられることによって、再生可能エネルギー発電装置１０から各部へ電力Ｅ１０ａ，Ｅ１０ｂ，Ｅ１０ｃが出力される。
【００１８】
［Ａ−２］水素発生装置４０
電力供給システム１において、水素発生装置４０は、図１に示すように、水素Ｈ４０を生成して供給するように構成されている。
【００１９】
図２に示すように、水素発生装置４０は、たとえば、純水製造装置４０１ａと水電解装置４０１とを含み、純水製造装置４０１ａで不純物が除去された水（純水）を水電解装置４０１で電気分解することによって、水素Ｈ４０を生成する。水電解装置４０１は、たとえば、固体高分子（ＰＥＭ）水電解装置である。本実施形態では、水素発生装置４０は、外部から水が供給され、水電解装置４０１において、その供給された水に電圧を印加することによって、水を水素と酸素に分解する。
【００２０】
水電解装置４０１において生成された水素Ｈ４０は、水素貯蔵装置５０に供給され、貯蔵される。そして、水電解装置４０１において生成された酸素は、たとえば、大気に放出される。
【００２１】
水素発生装置４０は、図１に示すように、再生可能エネルギー発電装置１０が出力した電力Ｅ１０ｂが供給されると共に、電力系統２から電力Ｅ２ａが供給されるように構成されている。水素発生装置４０は、再生可能エネルギー発電装置１０が出力した電力Ｅ１０ｂと、電力系統２から供給された電力Ｅ２ａとの少なくとも一方を用いて、水電解装置４０１（図２参照）において水の電気分解を生じさせることによって、水素Ｈ４０を生成する。
【００２２】
また、図２に示すように、水素発生装置４０は、水電解装置４０１等の他に、コンプレッサ４０２とチラーユニット４０３とを含む。コンプレッサ４０２は、たとえば、空気を圧縮して、水電解装置４０１に供給する。そして、チラーユニット４０３は、たとえば、冷却水を水電解装置４０１に供給する。
【００２３】
水素発生装置４０は、ガスセンサ、圧力計、流量計などの計測機器（図示省略）を含み、その計測機器によって計測されたデータＤ１がデータ信号として、制御装置７０へ出力される。
【００２４】
水素発生装置４０は、個別にパッケージ化されたものであって、運搬可能である。つまり、水素発生装置４０は、図２に示すように、コンテナ４００に構成部品（水電解装置４０１、コンプレッサ４０２、チラーユニット４０３等）が収容されることによってパッケージ化されており、トレーラなどの車両を用いて運搬することが可能な大きさである。
【００２５】
［Ａ−３］水素貯蔵装置５０
電力供給システム１において、水素貯蔵装置５０は、図１に示すように、水素発生装置４０から供給された水素Ｈ４０を貯蔵するように構成されている。また、水素貯蔵装置５０は、燃料電池発電装置６０へ水素Ｈ５０を供給するように構成されている。この他、水素貯蔵装置５０は、燃料電池自動車４へ水素Ｈ５０ａを供給するように構成されている。
【００２６】
図３に示すように、水素貯蔵装置５０は、たとえば、水素貯蔵タンク５０１と電磁弁５０２とを含み、水素発生装置４０から水素Ｈ４０が電磁弁５０２を介して水素貯蔵タンク５０１に供給され、その供給された水素Ｈ４０を水素貯蔵タンク５０１で貯蔵する。
【００２７】
水素貯蔵装置５０は、ガスセンサ、圧力計、流量計などの計測機器（図示省略）を含み、その計測機器によって計測されたデータＤ１がデータ信号として、制御装置７０へ出力される。
【００２８】
水素貯蔵装置５０は、水素発生装置４０と同様に、個別にパッケージ化されたものであって、運搬可能である。つまり、水素貯蔵装置５０は、図３に示すように、コンテナ５００に構成部品（水素貯蔵タンク５０１、電磁弁５０２など）が収容されることによってパッケージ化されており、トレーラなどの車両を用いて運搬することが可能な大きさである。
【００２９】
［Ａ−４］燃料電池発電装置６０
電力供給システム１において、燃料電池発電装置６０は、図１に示すように、水素貯蔵装置５０で貯蔵された水素Ｈ５０を用いて発電を行い、その発電によって発生した電力Ｅ６０を負荷部３に出力するように構成されている。
【００３０】
図４に示すように、燃料電池発電装置６０は、燃料電池６０１を含み、その燃料電池６０１において水素Ｈ５０を用いて発電が行われる。燃料電池６０１は、たとえば、固体高分子形燃料電池（ＰＥＦＣ）である。また、燃料電池発電装置６０は、インバータ６０２を含み、インバータ６０２が、燃料電池６０１で発電された電力を、電力系統２から供給された電力と同様に、負荷部３で利用可能な電力に変換する。
【００３１】
上記の他に、燃料電池発電装置６０は、図１に示すように、発電で生じた熱を用いて、外部から供給された水（図示省略）を加熱する。そして、燃料電池発電装置６０は、その加熱した水Ｗ６０を負荷部３（温水消費先）に供給する。図４に示すように、燃料電池発電装置６０は、貯湯タンク６０３を含み、その加熱された水Ｗ６０は、貯湯タンク６０３に貯蔵された後に、負荷部３に供給される。
【００３２】
燃料電池発電装置６０は、ガスセンサ、圧力計、流量計などの計測機器（図示省略）を含み、その計測機器によって計測されたデータＤ１がデータ信号として、制御装置７０へ出力される。
【００３３】
燃料電池発電装置６０は、水素発生装置４０および水素貯蔵装置５０と同様に、個別にパッケージ化されたものであって、運搬可能である。つまり、燃料電池発電装置６０は、図４に示すように、コンテナ６００に構成部品（燃料電池６０１、インバータ６０２、貯湯タンク６０３等）が収容されることによってパッケージ化されており、トレーラなどの車両を用いて運搬することが可能な大きさである。
【００３４】
［Ａ−５］制御装置７０
電力供給システム１において、制御装置７０は、図１に示すように、電力供給システム１を構成する各部を制御するように構成されている。図示を省略しているが、制御装置７０は、演算器（図示省略）とメモリ装置（図示省略）とを含み、メモリ装置が記憶しているプログラムを用いて演算器が演算処理を行うことによって、各部の制御を行う。
【００３５】
制御装置７０は、各部の状態について計測機器（図示省略）が計測して得たデータがデータ信号として入力される。ここでは、制御装置７０は、負荷部３の電力使用量（＝Ｄ３，電力需要量）がデータ信号として入力される。たとえば、予め定めた時間（たとえば、３０分間）において負荷部３で使用された電力に関する電力使用量が、データ信号として、制御装置７０に入力される。また、制御装置７０は、たとえば、電力系統２の電力供給量（＝Ｄ２）がデータ信号として入力される。この他に、負荷部３において使用された温水（図示なし）に関する温水使用量、再生可能エネルギー発電装置１０が発電した電力Ｅ１０の発電量、燃料電池発電装置６０が発電して出力する電力Ｅ６０の発電量、水素貯蔵装置５０が貯蔵している水素（図示なし）の水素貯蔵量、燃料電池発電装置６０で加熱されて貯蔵された温水（図示なし）の温水貯蔵量などのデータＤ１が、データ信号として入力される。そして、制御装置７０は、その入力されたデータ信号に基づいて制御信号ＣＴＬ７０を演算して求め、その求めた制御信号ＣＴＬ７０を電力供給システム１の各部に出力することによって、各部の動作を制御する。
【００３６】
また、制御装置７０は、たとえば、オペレータが操作装置（図示省略）に入力した操作指令に基づいて、電力供給システム１の動作を制御する。ここでは、制御装置７０は、たとえば、オペレータが複数の運転モードのうち一の運転モードを選択し、操作装置（図示省略）に入力した操作指令に基づいて、その選択された一の運転モードを電力供給システム１が実行するように、電力供給システム１の動作を制御する。制御装置７０は、複数の運転モードのうち一の運転モードを実行している場合に、他の運転モードを実行する旨の操作信号が入力されたときには、一の運転モードの動作から他の運転モードの動作に切り替える。
【００３７】
本実施形態の電力供給システム１では、運転モードとして、内部負荷モードと売電モードと自立運転モードと水素外部供給モードと水素貯蔵モードとが設定されており、上記の複数の運転モードから選択された一の運転モードを実行するように、制御装置７０が各部の動作を制御する。
【００３８】
内部負荷モードは、電力供給システム１の電力Ｅ１０ａ，Ｅ６０を、電力系統２の電力Ｅ２よりも優先的に負荷部３へ供給するときに実行される。本実施形態では、内部負荷モードを行う操作指令が入力されたときには、制御装置７０は、負荷部３で使用される電力の使用量に基づいて、再生可能エネルギー発電装置１０で発電された電力Ｅ１０ａを、電力系統２の電力Ｅ２および燃料電池発電装置６０で発電される電力Ｅ６０よりも優先させて負荷部３へ供給するように、電力供給システム１の動作を制御する。これと共に、内部負荷モードを行う場合には、制御装置７０は、燃料電池発電装置６０で発電される電力Ｅ６０を、電力系統２の電力Ｅ２よりも優先させて負荷部３へ供給するように、電力供給システム１の動作を制御する。また、制御装置７０は、内部負荷モードを行う場合において、負荷部３で使用される電力の使用量よりも再生可能エネルギー発電装置１０で発電された電力Ｅ１０の量が多いときには、再生可能エネルギー発電装置１０で発電された電力Ｅ１０ｂを用いて、水素発生装置４０が水素を生成し、その水素発生装置４０で生成された水素Ｈ４０を水素貯蔵装置５０が貯蔵するように、電力供給システム１の動作を制御する。更に、制御装置７０は、内部負荷モードを行う場合において、負荷部３で使用される電力の使用量よりも再生可能エネルギー発電装置１０で発電された電力Ｅ１０の量が多く、水素貯蔵装置５０が水素を限度まで貯蔵した状態であるときには、再生可能エネルギー発電装置１０で発電された電力Ｅ１０ｃを電力系統２へ出力するように、電力供給システム１の動作を制御する。
【００３９】
売電モードは、電力供給システム１の電力Ｅ１０を負荷部３へ供給することよりも、電力系統２へ出力することによって売電することを優先させるときに実行される。本実施形態では、売電モードを行う操作指令が入力されたときには、制御装置７０は、再生可能エネルギー発電装置１０で発電された電力Ｅ１０ｃを電力系統２へ出力するように、電力供給システム１の動作を制御する。売電モードを行う場合には、制御装置７０は、負荷部３で使用される電力の使用量に基づいて、再生可能エネルギー発電装置１０で発電された電力Ｅ１０ａを、電力系統２の電力Ｅ２および燃料電池発電装置６０で発電される電力Ｅ６０よりも優先させて負荷部３へ供給するように、電力供給システム１の動作を制御する。ここでは、制御装置７０は、売電モードを行う場合には、燃料電池発電装置６０で発電される電力Ｅ６０を、電力系統２の電力Ｅ２よりも優先させて負荷部３へ供給するように、電力供給システム１の動作を制御する。また、制御装置７０は、売電モードを行う場合において、再生可能エネルギー発電装置１０で発電された電力Ｅ１０の量が売電制限量よりも多いときには、再生可能エネルギー発電装置１０で発電された電力Ｅ１０ｂを用いて、水素発生装置４０が水素Ｈ４０を生成し、その水素発生装置４０で生成された水素Ｈ４０を水素貯蔵装置５０が貯蔵するように、電力供給システム１の動作を制御する。
【００４０】
自立運転モードは、たとえば、異常時（災害時など）または孤島に設置された場合のように、電力系統２の電力Ｅ２が供給されない状態のときに、実行される。自立運転モードを行う操作指令が入力されたときには、制御装置７０は、再生可能エネルギー発電装置１０と燃料電池発電装置６０との少なくとも１つから電力Ｅ１０ａ，Ｅ６０を負荷部３に出力するように、動作を制御する。これと共に、制御装置７０は、負荷部３で使用される電力の使用量に基づいて、水素貯蔵装置５０で貯蔵された水素Ｈ５０を用いて燃料電池発電装置６０が発電を行い、その発電によって発生した電力Ｅ６０を負荷部３に出力するように、燃料電池発電装置６０の動作を制御する。
【００４１】
なお、制御装置７０は、自立運転モードを行う操作指令が入力されたときに、自立運転モードを行うように電力供給システム１の各部を制御する他に、電力系統２の電力供給量に関するデータ信号（＝Ｄ２）に基づいて、電力系統２の電力供給が停止したと判断されたときに、上記の自立運転モードを行うように、電力供給システム１の各部の動作を制御するように構成されていてもよい。
【００４２】
水素外部供給モードは、水素貯蔵装置５０が貯蔵している水素Ｈ５０を燃料電池自動車４（外部水素使用装置）に供給する場合に、水素発生装置４０に水素Ｈ４０を生成させて水素貯蔵装置５０に水素Ｈ４０を補充するときに実行される。水素外部供給モードを行う操作指令が入力され、燃料電池自動車４に水素Ｈ５０が供給されたときには、制御装置７０は、水素発生装置４０が水素Ｈ４０を生成し、その水素発生装置４０が生成した水素Ｈ４０を水素貯蔵装置５０に貯蔵することを他の動作よりも優先して行うように、電力供給システム１の動作を制御する。ここでは、制御装置７０は、再生可能エネルギー発電装置１０で発電された電力Ｅ１０ｂを、電力系統２の電力Ｅ２ａよりも優先させて水素発生装置４０へ供給することによって、水素発生装置４０に水素Ｈ４０を生成させ、その水素発生装置４０が生成した水素Ｈ４０を水素貯蔵装置５０に貯蔵させる。そして、制御装置７０は、水素貯蔵装置５０が貯蔵している水素Ｈ５０を燃料電池自動車４（外部水素使用装置）に供給する。
【００４３】
水素貯蔵モードは、水素貯蔵装置５０が貯蔵する水素の貯蔵量が目標量に達するように、電力供給システム１の動作を制御する運転モードである。本実施形態では、制御装置７０は、水素貯蔵モードを行う操作指令が入力されたときには、水素の貯蔵量が目標時点（目標期限）において目標量に達するように、電力供給システム１を構成する各部の動作を制御する。制御部７０は、水素貯蔵モードを行うときには、たとえば、オペレータによって入力された目標時点において、予め設定された目標量に水素の貯蔵量が達するように制御を行う。たとえば、イベントが行われる時点よりも前の時点が目標時点として入力され、最大貯蔵量Ｓｍａｘが目標量として設定されているときには、制御装置７０は、そのイベントが行われる前の時点で水素の貯蔵量が最大貯蔵量Ｓｍａｘになるように、制御を行う。なお、制御部７０は、予め設定された目標量でなく、オペレータによって入力された目標量に水素の貯蔵量が達するように制御を行ってもよい。ここでは、制御装置７０は、たとえば、後に行われるイベントで必要な電力量に基づいて水素貯蔵量の目標量を算出し、設定してもよい。また、上記では、水素の貯蔵量が目標時点（目標期限）において目標量に達するように各部の動作を制御する場合について説明したが、目標時点（目標期限）を定めずに、水素の貯蔵量が目標量に達するように各部の動作を制御してもよい。
【００４４】
水素貯蔵モードを行う操作指令が入力された場合であって、水素の貯蔵量が目標量よりも少ないときには、制御装置７０は、水素発生装置４０が水素Ｈ４０を生成し、その水素発生装置４０で生成された水素Ｈ４０を水素貯蔵装置５０が貯蔵する動作を優先して実行するように、電力供給システム１の動作を制御する。ここでは、制御装置７０は、再生可能エネルギー発電装置１０で発電された電力Ｅ１０ｂを、電力系統２の電力Ｅ２ａよりも優先させて水素発生装置４０へ供給することによって、水素発生装置４０に水素Ｈ４０を生成させ、その水素発生装置４０が生成した水素Ｈ４０を水素貯蔵装置５０に貯蔵させる。水素貯蔵モードでは、水素外部供給モードの場合と異なり、制御装置７０は、水素貯蔵装置５０に貯蔵された水素Ｈ５０を外部の燃料電池自動車４（外部水素使用装置）に供給する動作を制限する。制御装置７０は、水素貯蔵モードを行う操作指令に基づいて、水素発生装置４０が水素Ｈ４０を生成し、その水素発生装置４０で生成された水素Ｈ４０を水素貯蔵装置５０が貯蔵した後には、燃料電池発電装置６０を動作させる操作指令に基づいて、燃料電池発電装置６０が発電を行い、その発電によって発生した電力Ｅ６０を負荷部３に出力するように、電力供給システム１の動作を制御する。たとえば、イベントが行われるときに、燃料電池発電装置６０を動作させる操作指令が入力され、その操作指令に基づいて、燃料電池発電装置６０が発電を行う。
【００４５】
［Ｂ］電力供給システム１の動作
上述した電力供給システム１の動作について、更に具体的に説明する。
【００４６】
図５Ａ，図５Ｂ，図６Ａ，図６Ｂ，図７Ａ，図７Ｂ，図８Ａ，図８Ｂ，図９Ａ，図９Ｂは、実施形態に係る電力供給システム１の動作を示す図である。
【００４７】
図５Ａ，図５Ｂは、内部負荷モードを実行するときの動作を示している。図６Ａ，図６Ｂは、売電モードを実行するときの動作を示している。図７Ａ，図７Ｂは、自立運転モードを実行するときの動作を示している。図８Ａ，図８Ｂは、水素外部供給モードを実行するときの動作を示している。図９Ａ，図９Ｂは、水素貯蔵モードを実行するときの動作を示している。
【００４８】
各図では、電力供給システム１の各部において、電力供給、売電、水素供給等が行われる場合には、「有り」と表記している。これに対して、電力供給システム１の各部において、電力供給、売電、水素供給等が行われない場合には、「無し」と表記している。
【００４９】
以下より、各図を用いて、各モードを実行するときの動作の詳細について、順次、説明する。
【００５０】
［Ｂ−１］内部負荷モード
内部負荷モードは、再生可能エネルギー発電装置１０の電力Ｅ１０ａ、および、燃料電池発電装置６０の電力Ｅ６０を、電力系統２の電力Ｅ２よりも優先的に負荷部３へ供給するときに実行される。
【００５１】
図５Ａ，図５Ｂに示すように、内部負荷モードを実行する際には、負荷部３の電力使用の状況と、再生可能エネルギー発電装置１０の発電の状況と、水素貯蔵装置５０の水素貯蔵の状況とのそれぞれに応じて、制御装置７０が各部の動作を制御する。
【００５２】
このため、負荷部３の電力使用が有る場合（条件１−１−１から条件１−３−３）と無い場合（条件２−１−１から条件２−２）とに応じて、内部負荷モードが異なる動作で実行される。つまり、負荷部３で使用されている電力使用量（＝Ｄ３）がゼロよりも多い場合（Ｄ３＞０）と、負荷部３の電力使用量（＝Ｄ３）がゼロである場合（Ｄ３＝０）とに応じて動作が異なる。
【００５３】
また、再生可能エネルギー発電装置１０の発電が有る場合（条件１−１−１から条件１−２−３，条件２−１−１から条件２−１−３）と無い場合（条件１−３−１から条件１−３−３，条件２−２）とに応じて、内部負荷モードの動作が制御される。つまり、再生可能エネルギー発電装置１０の発電量（＝Ｐ１０）がゼロよりも多い場合（Ｐ１０＞０）と、再生可能エネルギー発電装置１０の発電量（＝Ｐ１０）がゼロである場合（Ｐ１０＝０）とに応じて動作が制御される。更に、再生可能エネルギー発電装置１０の発電が有る場合（Ｐ１０＞０）については、再生可能エネルギー発電装置１０の発電量（＝Ｐ１０）が負荷部３の電力使用量（＝Ｄ３）よりも多い場合（Ｐ１０＞Ｄ３，条件１−１−１から条件１−１−３）と、再生可能エネルギー発電装置１０の発電量（＝Ｐ１０）が負荷部３の電力使用量（＝Ｄ３）以下である場合（Ｐ１０≦Ｄ３，条件１−２−１から条件１−２−３）とに応じて動作が制御される。
【００５４】
これと共に、水素貯蔵装置５０において水素の貯蔵が有る場合（条件１−１−１から条件１−１−２，条件１−２−１から条件１−２−２，条件１−３−１から条件１−３−２，条件２−１−１から条件２−１−２）と無い場合（条件１−１−３，条件１−２−３，条件１−３−３，条件２−１−３）とに応じて、内部負荷モードの動作が制御される。つまり、水素貯蔵装置５０の水素貯蔵量（＝Ｓ５０）がゼロよりも多い場合（Ｓ５０＞０）と、水素貯蔵装置５０の水素貯蔵量（＝Ｓ５０）がゼロである場合（Ｓ５０＝０）とに応じて動作が制御される。更に、水素貯蔵装置５０において水素の貯蔵が有る場合（Ｓ５０＞０）については、水素貯蔵装置５０の水素貯蔵に関して空きが無い場合（条件１−１−１，条件１−２−１，条件１−３−１，条件２−１−１）と有る場合（条件１−１−２，条件１−２−２，条件１−３−２，条件２−１−２）とに応じて動作が制御される。換言すると、水素貯蔵装置５０の水素貯蔵量（＝Ｓ５０）が最大水素貯蔵量Ｓｍａｘである場合（Ｓ５０＝Ｓｍａｘ）と、水素貯蔵装置５０の水素貯蔵量（＝Ｓ５０）が最大水素貯蔵量Ｓｍａｘよりも少ない場合（Ｓ５０＜Ｓｍａｘ）とに応じて、動作が制御される。
【００５５】
図５Ａ，図５Ｂに示すように、内部負荷モードを実行する際において、負荷部３の電力使用が有る場合（条件１−１−１から条件１−３−３）には、再生可能エネルギー発電装置１０と燃料電池発電装置６０と電力系統２との少なくとも１つから、負荷部３へ電力Ｅ１０ａ，Ｅ６０，Ｅ２の供給が行われる。ここでは、再生可能エネルギー発電装置１０で発電された電力Ｅ１０ａを、電力系統２の電力Ｅ２および燃料電池発電装置６０で発電される電力Ｅ６０よりも優先させて負荷部３へ供給する。これと共に、燃料電池発電装置６０で発電される電力Ｅ６０を、電力系統２の電力Ｅ２よりも優先させて、負荷部３へ供給する。これに対して、負荷部３の電力使用が無い場合（条件２−１−１から条件２−２）には、当然ながら、再生可能エネルギー発電装置１０と燃料電池発電装置６０と電力系統２とのそれぞれから、負荷部３へ電力Ｅ１０ａ，Ｅ６０，Ｅ２を供給しない。
【００５６】
また、内部負荷モードを実行する際において、再生可能エネルギー発電装置１０の発電量（＝Ｐ１０）が負荷部３の電力使用量（＝Ｄ３）よりも多い場合（Ｐ１０＞Ｄ３）であって、水素貯蔵装置５０において水素貯蔵に空きが有る場合（条件１−１−２，条件１−１−３，条件２−１−２，条件２−１−３）には、再生可能エネルギー発電装置１０から水素発生装置４０へ電力Ｅ１０ｂを供給する。これにより、水素発生装置４０に水素Ｈ４０を生成させ、その水素発生装置４０で生成された水素Ｈ４０を水素貯蔵装置５０に貯蔵させる。内部負荷モードを実行する際には、電力系統２から水素発生装置４０に電力Ｅ２ａを供給しない。
【００５７】
更に、内部負荷モードを実行する際において、再生可能エネルギー発電装置１０の発電量（＝Ｐ１０）が負荷部３の電力使用量（＝Ｄ３）よりも多い場合（Ｐ１０＞Ｄ３，条件１−１−１から条件１−１−３，条件２−１−１から条件２−１−３）には、再生可能エネルギー発電装置１０が発電した電力Ｅ１０ｃを電力系統２へ出力することによって、売電を行う。
【００５８】
内部負荷モードを実行する際には、水素貯蔵装置５０から燃料電池自動車４へ水素Ｈ５０ａを供給しない。
【００５９】
内部負荷モードを実行する場合において、各条件（条件１−１−１から条件２−２）に応じて行われる動作の具体的内容について、順次、説明する。
【００６０】
［Ｂ−１−１］条件１−１−１
まず、条件１−１−１の場合における動作について説明する。つまり、負荷部３の電力使用が有り（Ｄ３＞０）、再生可能エネルギー発電装置１０の発電量（＝Ｐ１０）が負荷部３の電力使用量（＝Ｄ３）よりも多く（Ｐ１０＞Ｄ３）、かつ、水素貯蔵装置５０において水素貯蔵に関して空きが無いとき（Ｓ５０＝Ｓｍａｘ）の条件における動作に関して、説明する。
【００６１】
条件１−１−１の場合には、再生可能エネルギー発電装置１０から負荷部３へ電力Ｅ１０ａを供給する。ここでは、負荷部３の電力使用量（＝Ｄ３）に応じた電力を、再生可能エネルギー発電装置１０から負荷部３へ供給する。このとき、燃料電池発電装置６０と電力系統２とのそれぞれから、負荷部３へ電力Ｅ６０，Ｅ２を供給しない。
【００６２】
条件１−１−１の場合には、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【００６３】
条件１−１−１の場合には、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）から負荷部３の電力使用量（＝Ｄ３）を引いた量になる（Ｓ２＝Ｐ１０−Ｄ３）。
【００６４】
［Ｂ−１−２］条件１−１−２
条件１−１−２の場合における動作について説明する。つまり、水素貯蔵装置５０の水素貯蔵に関して空きが有る点（Ｓ５０＜Ｓｍａｘ）を除き、上記の条件１−１−１の場合と同じ条件における動作に関して、説明する。
【００６５】
条件１−１−２の場合には、条件１−１−１の場合と同様に、再生可能エネルギー発電装置１０から負荷部３へ電力Ｅ１０ａを供給する。ここでは、負荷部３の電力使用量（＝Ｄ３）に応じた電力を、再生可能エネルギー発電装置１０から負荷部３へ供給する。このとき、燃料電池発電装置６０と電力系統２とのそれぞれから、負荷部３へ電力Ｅ６０，Ｅ２を供給しない。
【００６６】
条件１−１−２の場合には、条件１−１−１の場合と異なり、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）から、負荷部３の電力使用量（＝Ｄ３）を引いた量以下である（Ｄ４０≦Ｐ１０−Ｄ３）。これにより、水素発生装置４０においては、水素Ｈ４０の生成が行われ、その生成された水素Ｈ４０を水素貯蔵装置５０が貯蔵する。
【００６７】
そして、条件１−１−２の場合には、条件１−１−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）から、負荷部３の電力使用量（＝Ｄ３）、および、水素発生装置４０へ供給した電力供給量（＝Ｄ４０）を差し引いた量になる（Ｓ２＝Ｐ１０−Ｄ３−Ｄ４０）。
【００６８】
［Ｂ−１−３］条件１−１−３
条件１−１−３の場合における動作について説明する。つまり、水素貯蔵装置５０において水素の貯蔵が無い点（Ｓ５０＝０）を除き、上記の条件１−１−１、条件１−１−２の場合と同じ条件における動作に関して、説明する。
【００６９】
条件１−１−３の場合には、条件１−１−１、および、条件１−１−２の場合と同様に、再生可能エネルギー発電装置１０から負荷部３へ電力Ｅ１０ａを供給する。ここでは、負荷部３の電力使用量（＝Ｄ３）に応じた電力を、再生可能エネルギー発電装置１０から負荷部３へ供給する。このとき、燃料電池発電装置６０と電力系統２とのそれぞれから、負荷部３へ電力Ｅ６０，Ｅ２を供給しない。
【００７０】
条件１−１−３の場合には、条件１−１−２の場合と同様に、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）から、負荷部３の電力使用量（＝Ｄ３）を引いた量以下である（Ｄ４０≦Ｐ１０−Ｄ３）。これにより、水素発生装置４０においては、水素Ｈ４０の生成が行われ、その生成された水素Ｈ４０を水素貯蔵装置５０が貯蔵する。
【００７１】
そして、条件１−１−３の場合には、条件１−１−１および条件１−１−２の場合と同様に、再生可能エネルギー発電装置１０が発電した電力Ｅ１０ｃを電力系統２へ出力することによって、売電を行う。ここでは、売電量（＝Ｓ２）は、条件１−１−２の場合と同様に、再生可能エネルギー発電装置１０の発電量（＝Ｐ１０）から、負荷部３の電力使用量（＝Ｄ３）、および、水素発生装置４０へ供給した電力供給量（＝Ｄ４０）を引いた量になる（Ｓ２＝Ｐ１０−Ｄ３−Ｄ４０）。
【００７２】
［Ｂ−１−４］条件１−２−１
条件１−２−１の場合における動作について説明する。つまり、再生可能エネルギー発電装置１０の発電量（＝Ｐ１０）が負荷部３の電力使用量（＝Ｄ３）以下である点（Ｐ１０≦Ｄ３）を除き、上記の条件１−１−１の場合と同じ条件における動作に関して、説明する。
【００７３】
条件１−２−１の場合には、条件１−１−１の場合と異なり、再生可能エネルギー発電装置１０と燃料電池発電装置６０とのそれぞれから負荷部３へ電力Ｅ１０ａ，Ｅ６０を供給する。ここでは、再生可能エネルギー発電装置１０が発電した電力Ｅ１０の全てを負荷部３へ供給すると共に、更に、燃料電池発電装置６０から負荷部３へ電力Ｅ６０を供給する。そして、必要に応じて、電力系統２から更に負荷部３へ電力Ｅ２を供給する。ここでは、再生可能エネルギー発電装置１０の発電量と燃料電池発電装置６０の発電量との合計量が、負荷部３の電力使用量よりも小さいときに、電力系統２から更に負荷部３へ電力Ｅ２を供給する。
【００７４】
条件１−２−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【００７５】
条件１−２−１の場合には、条件１−１−１の場合と異なり、再生可能エネルギー発電装置１０が発電した電力Ｅ１０ｃを電力系統２へ出力しない（Ｅ１０ｃ＝０）。つまり、売電を行わない。
【００７６】
［Ｂ−１−５］条件１−２−２
条件１−２−２の場合における動作について説明する。つまり、水素貯蔵装置５０の水素貯蔵に関して空きが有る点（Ｓ５０＜Ｓｍａｘ）を除き、上記の条件１−２−１の場合と同じ条件における動作に関して、説明する。
【００７７】
条件１−２−２の場合には、条件１−２−１の場合と同様に、再生可能エネルギー発電装置１０と燃料電池発電装置６０とのそれぞれから負荷部３へ電力Ｅ１０ａ，Ｅ６０を供給する。ここでは、再生可能エネルギー発電装置１０が発電した電力Ｅ１０の全てを負荷部３へ供給すると共に、更に、燃料電池発電装置６０から負荷部３へ電力Ｅ６０を供給する。また、必要に応じて、電力系統２から更に負荷部３へ電力Ｅ２を供給する。ここでは、再生可能エネルギー発電装置１０の発電量と燃料電池発電装置６０の発電量との合計量が、負荷部３の電力使用量よりも小さいときに、電力系統２から更に負荷部３へ電力Ｅ２を供給する。
【００７８】
条件１−２−２の場合には、条件１−２−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【００７９】
条件１−２−２の場合には、条件１−２−１の場合と同様に、再生可能エネルギー発電装置１０が発電した電力Ｅ１０ｃを電力系統２へ出力しない（Ｅ１０ｃ＝０）。つまり、売電を行わない。
【００８０】
［Ｂ−１−６］条件１−２−３
条件１−２−３の場合における動作について説明する。つまり、水素貯蔵装置５０において水素の貯蔵が無い点（Ｓ５０＝０）を除き、上記の条件１−２−１、条件１−２−２の場合と同じ条件における動作に関して、説明する。
【００８１】
条件１−２−３の場合には、条件１−２−１および条件１−２−２の場合と異なり、再生可能エネルギー発電装置１０および電力系統２から負荷部３へ電力を供給する。ここでは、再生可能エネルギー発電装置１０が発電した電力Ｅ１０の全てを負荷部３へ供給する。燃料電池発電装置６０からは、負荷部３へ電力Ｅ６０を供給しない。
【００８２】
条件１−２−３の場合には、条件１−２−１および条件１−２−２の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【００８３】
条件１−２−３の場合には、条件１−２−１および条件１−２−２の場合と同様に、再生可能エネルギー発電装置１０が発電した電力Ｅ１０ｃを電力系統２へ出力しない（Ｅ１０ｃ＝０）。つまり、売電を行わない。
【００８４】
［Ｂ−１−７］条件１−３−１
条件１−３−１の場合における動作について説明する。つまり、再生可能エネルギー発電装置１０の発電量（＝Ｐ１０）がゼロである点（Ｐ１０＝０）を除き、上記の条件１−１−１の場合と同じ条件における動作に関して、説明する。
【００８５】
条件１−３−１の場合には、条件１−１−１の場合と異なり、燃料電池発電装置６０と電力系統２とのそれぞれから、負荷部３へ電力Ｅ６０，Ｅ２を供給する。ここでは、燃料電池発電装置６０の電力Ｅ６０を、電力系統２の電力Ｅ２よりも優先させて、負荷部３へ供給する。このとき、再生可能エネルギー発電装置１０から負荷部３へ電力Ｅ１０ａを供給しない（Ｅ１０ａ＝０）。
【００８６】
条件１−３−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【００８７】
条件１−３−１の場合には、条件１−１−１の場合と異なり、再生可能エネルギー発電装置１０が発電した電力Ｅ１０ｃを電力系統２へ出力しない（Ｅ１０ｃ＝０）。つまり、売電を行わない。
【００８８】
［Ｂ−１−８］条件１−３−２
条件１−３−２の場合における動作について説明する。つまり、水素貯蔵装置５０の水素貯蔵に関して空きが有る点（Ｓ５０＜Ｓｍａｘ）を除き、上記の条件１−３−１の場合と同じ条件における動作に関して、説明する。
【００８９】
条件１−３−２の場合には、条件１−３−１の場合と同様に、燃料電池発電装置６０と電力系統２とのそれぞれから、負荷部３へ電力Ｅ６０，Ｅ２を供給する。ここでは、燃料電池発電装置６０の電力Ｅ６０を、電力系統２の電力Ｅ２よりも優先させて、負荷部３へ供給する。このとき、再生可能エネルギー発電装置１０から負荷部３へ電力Ｅ１０ａを供給しない（Ｅ１０ａ＝０）。
【００９０】
条件１−３−２の場合には、条件１−３−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【００９１】
条件１−３−２の場合には、条件１−３−１の場合と同様に、再生可能エネルギー発電装置１０が発電した電力Ｅ１０ｃを電力系統２へ出力しない（Ｅ１０ｃ＝０）。つまり、売電を行わない。
【００９２】
［Ｂ−１−９］条件１−３−３
条件１−３−３の場合における動作について説明する。つまり、水素貯蔵装置５０において水素の貯蔵が無い点（Ｓ５０＝０）を除き、上記の条件１−３−１、条件１−３−２の場合と同じ条件における動作に関して、説明する。
【００９３】
条件１−３−３の場合には、条件１−３−１および条件１−３−２の場合と異なり、電力系統２から負荷部３へ電力を供給する。ここでは、再生可能エネルギー発電装置１０および燃料電池発電装置６０から負荷部３へ電力Ｅ１０ａ，Ｅ６０を供給しない。
【００９４】
条件１−３−３の場合には、条件１−３−１および条件１−３−２の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【００９５】
条件１−３−３の場合には、条件１−３−１および条件１−３−２の場合と同様に、再生可能エネルギー発電装置１０が発電した電力Ｅ１０ｃを電力系統２へ出力しない（Ｅ１０ｃ＝０）。つまり、売電を行わない。
【００９６】
［Ｂ−１−１０］条件２−１−１
条件２−１−１の場合における動作について説明する。つまり、負荷部３の電力使用が無い点（Ｄ３＝０）を除き、上記の条件１−１−１から条件１−２−３の場合と同じ条件における動作に関して、説明する。
【００９７】
条件２−１−１の場合には、上記の条件１−１−１から条件１−２−３の場合と異なり、再生可能エネルギー発電装置１０と燃料電池発電装置６０と電力系統２とのそれぞれから、負荷部３へ電力Ｅ１０ａ，Ｅ６０，Ｅ２を供給しない。
【００９８】
条件２−１−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【００９９】
条件２−１−１の場合には、条件１−１−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）と同じである（Ｓ２＝Ｐ１０）。
【０１００】
［Ｂ−１−１１］条件２−１−２
条件２−１−２の場合における動作について説明する。つまり、水素貯蔵装置５０の水素貯蔵に関して空きが有る点（Ｓ５０＜Ｓｍａｘ）を除き、上記の条件２−１−１の場合と同じ条件における動作に関して、説明する。
【０１０１】
条件２−１−２の場合には、条件２−１−１の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１０２】
条件２−１−２の場合には、条件２−１−１の場合と異なり、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）以下である（Ｄ４０≦Ｐ１０）。これにより、水素発生装置４０においては、水素Ｈ４０の生成が行われ、その生成された水素Ｈ４０を水素貯蔵装置５０が貯蔵する。
【０１０３】
そして、条件２−１−２の場合には、条件２−１−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）から、水素発生装置４０へ供給した電力供給量（＝Ｄ４０）を引いた量になる（Ｓ２＝Ｐ１０−Ｄ４０）。
【０１０４】
［Ｂ−１−１２］条件２−１−３
条件２−１−３の場合における動作について説明する。つまり、水素貯蔵装置５０において水素の貯蔵が無い点（Ｓ５０＝０）を除き、上記の条件２−１−１、条件２−１−２の場合と同じ条件における動作に関して、説明する。
【０１０５】
条件２−１−３の場合には、条件２−１−１、および、条件２−１−２の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１０６】
条件２−１−３の場合には、条件２−１−２の場合と同様に、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）以下である（Ｄ４０≦Ｐ１０）。これにより、水素発生装置４０においては、水素Ｈ４０の生成が行われ、その生成された水素Ｈ４０を水素貯蔵装置５０が貯蔵する。
【０１０７】
そして、条件２−１−３の場合には、条件２−１−１および条件２−１−２の場合と同様に、再生可能エネルギー発電装置１０が発電した電力Ｅ１０ｃを電力系統２へ出力することによって、売電を行う。ここでは、売電量（＝Ｓ２）は、条件２−１−２の場合と同様に、再生可能エネルギー発電装置１０の発電量（＝Ｐ１０）から、水素発生装置４０へ供給した電力供給量（＝Ｄ４０）を引いた量になる（Ｓ２＝Ｐ１０−Ｄ４０）。
【０１０８】
［Ｂ−１−１３］条件２−２
条件２−２の場合における動作について説明する。つまり、再生可能エネルギー発電装置１０の発電量（＝Ｐ１０）がゼロである点（Ｐ１０＝０）を除き、上記の条件２−１−１から条件２−１−３の場合と同じ条件における動作に関して、説明する。
【０１０９】
条件２−２の場合には、上記の条件２−１−１から条件２−１−３の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１１０】
条件２−２の場合には、条件２−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１１１】
条件２−２の場合には、条件２−１−１から条件２−１−３の場合と異なり、再生可能エネルギー発電装置１０が発電した電力Ｅ１０ｃを電力系統２へ出力しない（Ｅ１０ｃ＝０）。つまり、売電を行わない。
【０１１２】
［Ｂ−２］売電モード
売電モードは、上述したように、再生可能エネルギー発電装置１０の電力Ｅ１０ａを負荷部３へ供給することよりも、再生可能エネルギー発電装置１０の電力Ｅ１０ｃを電力系統２へ出力して売電することを優先させるときに実行される。
【０１１３】
図６Ａ，図６Ｂに示すように、売電モードを実行する際には、負荷部３の電力使用の状況と、再生可能エネルギー発電装置１０の発電の状況と、水素貯蔵装置５０の水素貯蔵の状況とのそれぞれに応じて、制御装置７０が各部の動作を制御する。
【０１１４】
このため、売電モードの動作は、内部負荷モードの場合と同様に、負荷部３の電力使用が有る場合（条件１−１−１から条件１−３−３）と無い場合（条件２−１−１から条件２−３）とに応じて制御される。
【０１１５】
また、売電モードの動作は、内部負荷モードの場合と同様に、再生可能エネルギー発電装置１０の発電が有る場合（条件１−１−１から条件１−２−３，条件２−１−１から条件２−１−３）と無い場合（条件１−３−１から条件１−３−３，条件２−２）とに応じて制御される。再生可能エネルギー発電装置１０の発電が有る場合（Ｐ１０＞０）については、再生可能エネルギー発電装置１０の発電量（＝Ｐ１０）が売電制限量（＝Ｃｘ）よりも多い場合（Ｐ１０＞Ｃｘ，条件１−１−１から条件１−１−３、条件２−１−１から条件２−１−３）と、再生可能エネルギー発電装置１０の発電量（＝Ｐ１０）が売電制限量（＝Ｃｘ）以下である場合（Ｐ１０≦Ｃｘ，条件１−２−１から条件１−２−３、条件２−２−１から条件２−２−３）とに応じて、動作が制御される。
【０１１６】
これと共に、売電モードの動作は、内部負荷モードの場合と同様に、水素貯蔵装置５０において水素の貯蔵が有る場合（条件１−１−１から条件１−１−２，条件１−２−１から条件１−２−２，条件１−３−１から条件１−３−２，条件２−１−１から条件２−１−２，条件２−２−１から条件２−２−２）と無い場合（条件１−１−３，条件１−２−３，条件１−３−３，条件２−１−３，条件２−２−３）とに応じて制御される。更に、水素貯蔵装置５０において水素の貯蔵が有る場合（Ｓ５０＞０）については、水素貯蔵装置５０の水素貯蔵に関して空きが無い場合（条件１−１−１，条件１−２−１，条件１−３−１，条件２−１−１，条件２−２−１）と有る場合（条件１−１−２，条件１−２−２，条件１−３−２，条件２−１−２，条件２−２−２）とに応じて、売電モードの動作が制御される。
【０１１７】
図６Ａ，図６Ｂに示すように、売電モードを実行する際において、負荷部３の電力使用が有る場合（条件１−１−１から条件１−３−３）には、再生可能エネルギー発電装置１０と燃料電池発電装置６０と電力系統２との少なくとも１つから、負荷部３へ電力Ｅ１０ａ，Ｅ６０，Ｅ２の供給が行われる。ここでは、再生可能エネルギー発電装置１０で発電された電力Ｅ１０ａを、電力系統２の電力Ｅ２および燃料電池発電装置６０で発電される電力Ｅ６０よりも優先させて負荷部３へ供給する。これに対して、負荷部３の電力使用が無い場合（条件２−１−１から条件２−３）には、当然ながら、再生可能エネルギー発電装置１０と燃料電池発電装置６０と電力系統２とのそれぞれから、負荷部３へ電力Ｅ１０ａ，Ｅ６０，Ｅ２を供給しない。
【０１１８】
また、売電モードを実行する際において、再生可能エネルギー発電装置１０の発電量（＝Ｐ１０）が売電制限量（＝Ｃｘ）よりも多い場合（Ｐ１０＞Ｃｘ）であって、水素貯蔵装置５０において水素貯蔵に空きが有る場合（条件１−１−２，条件１−１−３，条件２−１−２，条件２−１−３）には、再生可能エネルギー発電装置１０から水素発生装置４０へ電力Ｅ１０ｂを供給する。これにより、水素発生装置４０に水素Ｈ４０を生成させ、その水素発生装置４０で生成された水素Ｈ４０を水素貯蔵装置５０に貯蔵させる。売電モードを実行する際には、電力系統２から水素発生装置４０に電力Ｅ２ａを供給しない。
【０１１９】
更に、売電モードを実行する際において、再生可能エネルギー発電装置１０の発電が有る場合（Ｐ１０＞０，条件１−１−１から条件１−２−３，条件２−１−１から条件２−２−３）には、再生可能エネルギー発電装置１０が発電した電力Ｅ１０ｃを電力系統２へ出力することによって、売電を行う。つまり、再生可能エネルギー発電装置１０の電力Ｅ１０ｃは、売電される。
【０１２０】
売電モードを実行する際には、水素貯蔵装置５０から燃料電池自動車４へ水素Ｈ５０ａを供給しない。
【０１２１】
売電モードの場合において、各条件（条件１−１−１から条件２−３）に応じて行われる動作の具体的内容について、順次、説明する。
【０１２２】
［Ｂ−２−１］条件１−１−１
まず、条件１−１−１の場合における動作について説明する。つまり、負荷部３の電力使用が有り（Ｄ３＞０）、再生可能エネルギー発電装置１０の発電量（＝Ｐ１０）が売電制限量（＝Ｃｘ）よりも多く（Ｐ１０＞Ｃｘ）、かつ、水素貯蔵装置５０において水素貯蔵に関して空きが無いとき（Ｓ５０＝Ｓｍａｘ）の条件における動作に関して、説明する。
【０１２３】
条件１−１−１の場合には、再生可能エネルギー発電装置１０から負荷部３へ電力Ｅ１０ａ，Ｅ６０を供給する。このとき、必要に応じて、燃料電池発電装置６０から負荷部３へ電力Ｅ６０を供給する。ここでは、再生可能エネルギー発電装置１０の発電量（＝Ｐ１０）が、負荷部３の電力使用量（＝Ｄ３）よりも小さいときに、燃料電池発電装置６０から更に負荷部３へ電力Ｅ６０を供給する。また、更に不足している場合には、電力系統２から負荷部３へ更に電力Ｅ２を供給する。つまり、ここでは、再生可能エネルギー発電装置１０の発電量と燃料電池発電装置６０の発電量との合計量が、負荷部３の電力使用量よりも小さいときに、電力系統２から更に負荷部３へ電力Ｅ２を供給する。
【０１２４】
条件１−１−１の場合には、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。ただし、燃料電池発電装置６０で水素を消費したときには、その消費分を補うように、水素発生装置４０へ電力Ｅ１０ｂ，Ｅ２ａを供給してもよい。
【０１２５】
条件１−１−１の場合には、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０１２６】
なお、再生可能エネルギー発電装置１０が発電した電力Ｅ１０が余る場合には、たとえば、水素貯蔵装置５０において水素貯蔵タンク５０１を増設することによって、水素貯蔵装置５０の水素貯蔵容量を増加し、水素発生装置４０で生成した水素を更に多く貯蔵するように構成する。その他、この場合には、再生可能エネルギー発電装置１０の発電量を調整してもよい。
【０１２７】
［Ｂ−２−２］条件１−１−２
条件１−１−２の場合における動作について説明する。つまり、水素貯蔵装置５０の水素貯蔵に関して空きが有る点（Ｓ５０＜Ｓｍａｘ）を除き、上記の条件１−１−１の場合と同じ条件における動作に関して、説明する。
【０１２８】
条件１−１−２の場合には、再生可能エネルギー発電装置１０から負荷部３へ電力Ｅ１０ａを供給するが、条件１−１−１の場合と異なり、燃料電池発電装置６０から負荷部３へ電力Ｅ６０を供給しない。このとき、必要に応じて、電力系統２から負荷部３へ更に電力Ｅ２を供給する。
【０１２９】
条件１−１−２の場合には、条件１−１−１の場合と異なり、再生可能エネルギー発電装置１０から水素発生装置４０へ電力Ｅ１０ｂを供給する。水素発生装置４０へ供給する電力供給量（＝Ｄ４０）は、再生可能エネルギー発電装置１０の発電量（＝Ｐ１０）から、負荷部３の電力使用量（＝Ｄ３）と、電力系統２へ売電した売電量Ｓ２とを引いた量である（Ｄ４０＝Ｐ１０−Ｄ３−Ｓ２）。これにより、水素発生装置４０においては、水素Ｈ４０の生成が行われ、その生成された水素Ｈ４０を水素貯蔵装置５０が貯蔵する。
【０１３０】
そして、条件１−１−２の場合には、条件１−１−１の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０１３１】
［Ｂ−２−３］条件１−１−３
条件１−１−３の場合における動作について説明する。つまり、水素貯蔵装置５０において水素の貯蔵が無い点（Ｓ５０＝０）を除き、上記の条件１−１−１、条件１−１−２の場合と同じ条件における動作に関して、説明する。
【０１３２】
条件１−１−３の場合には、条件１−１−２の場合と同様に、再生可能エネルギー発電装置１０から負荷部３へ電力Ｅ１０ａを供給するが、燃料電池発電装置６０から負荷部３へ電力Ｅ６０を供給しない。このとき、必要に応じて、電力系統２から負荷部３へ更に電力Ｅ２を供給する。
【０１３３】
条件１−１−３の場合には、条件１−１−２の場合と同様に、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）から、負荷部３の電力使用量（＝Ｄ３）と、電力系統２へ売電した売電量Ｓ２とを引いた量である（Ｄ４０＝Ｐ１０−Ｄ３−Ｓ２）。これにより、水素発生装置４０においては、水素Ｈ４０の生成が行われ、その生成された水素Ｈ４０を水素貯蔵装置５０が貯蔵する。
【０１３４】
そして、条件１−１−３の場合には、条件１−１−１および条件１−１−２の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０１３５】
［Ｂ−２−４］条件１−２−１
条件１−２−１の場合における動作について説明する。つまり、再生可能エネルギー発電装置１０の発電量（＝Ｐ１０）が売電制限量（＝Ｃｘ）以下である点（Ｐ１０≦Ｃｘ）を除き、上記の条件１−１−１の場合と同じ条件における動作に関して、説明する。
【０１３６】
条件１−２−１の場合には、条件１−１−１の場合と異なり、燃料電池発電装置６０と電力系統２とのそれぞれから、負荷部３へ電力Ｅ６０，Ｅ２を供給する。ここでは、再生可能エネルギー発電装置１０から負荷部３へ電力Ｅ１０ａを供給しない（Ｅ１０ａ＝０）。また、電力系統２から導入する電力Ｅ２ａを減少させる場合には、燃料電池発電装置６０の電力供給を電力系統２の電力供給よりも優先する。
【０１３７】
条件１−２−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１３８】
条件１−２−１の場合には、条件１−１−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）になる（Ｓ２＝Ｐ１０）。
【０１３９】
［Ｂ−２−５］条件１−２−２
条件１−２−２の場合における動作について説明する。つまり、水素貯蔵装置５０の水素貯蔵に関して空きが有る点（Ｓ５０＜Ｓｍａｘ）を除き、上記の条件１−２−１の場合と同じ条件における動作に関して、説明する。
【０１４０】
条件１−２−２の場合には、条件１−２−１の場合と同様に、燃料電池発電装置６０と電力系統２とのそれぞれから、負荷部３へ電力Ｅ６０，Ｅ２を供給する。ここでは、再生可能エネルギー発電装置１０から負荷部３へ電力Ｅ１０ａを供給しない（Ｅ１０ａ＝０）。また、電力系統２から導入する電力Ｅ２ａを減少させる場合には、燃料電池発電装置６０の電力供給を電力系統２の電力供給よりも優先する。
【０１４１】
条件１−２−２の場合には、条件１−２−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１４２】
条件１−２−２の場合には、条件１−２−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）になる（Ｓ２＝Ｐ１０）。
【０１４３】
［Ｂ−２−６］条件１−２−３
条件１−２−３の場合における動作について説明する。つまり、水素貯蔵装置５０において水素の貯蔵が無い点（Ｓ５０＝０）を除き、上記の条件１−２−１、条件１−２−２の場合と同じ条件における動作に関して、説明する。
【０１４４】
条件１−２−３の場合には、条件１−２−１および条件１−２−２の場合と異なり、電力系統２から負荷部３へ電力を供給する。ここでは、再生可能エネルギー発電装置１０および燃料電池発電装置６０から負荷部３へ電力Ｅ１０ａ，Ｅ６０を供給しない。
【０１４５】
条件１−２−３の場合には、条件１−２−１および条件１−２−２の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１４６】
条件１−２−３の場合には、条件１−２−１および条件１−２−２の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）になる（Ｓ２＝Ｐ１０）。
【０１４７】
［Ｂ−２−７］条件１−３−１
条件１−３−１の場合における動作について説明する。つまり、再生可能エネルギー発電装置１０の発電量（＝Ｐ１０）がゼロである点（Ｐ１０＝０）を除き、上記の条件１−１−１の場合と同じ条件における動作に関して、説明する。
【０１４８】
条件１−３−１の場合には、条件１−１−１の場合と異なり、燃料電池発電装置６０と電力系統２とのそれぞれから、負荷部３へ電力Ｅ６０，Ｅ２を供給する。このとき、再生可能エネルギー発電装置１０から負荷部３へ電力Ｅ１０ａを供給しない（Ｅ１０ａ＝０）。
【０１４９】
条件１−３−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１５０】
条件１−３−１の場合には、条件１−１−１の場合と異なり、再生可能エネルギー発電装置１０が発電した電力Ｅ１０ｃを電力系統２へ出力しない（Ｅ１０ｃ＝０）。つまり、売電を行わない。
【０１５１】
［Ｂ−２−８］条件１−３−２
条件１−３−２の場合における動作について説明する。つまり、水素貯蔵装置５０の水素貯蔵に関して空きが有る点（Ｓ５０＜Ｓｍａｘ）を除き、上記の条件１−３−１の場合と同じ条件における動作に関して、説明する。
【０１５２】
条件１−３−２の場合には、条件１−３−１の場合と同様に、燃料電池発電装置６０と電力系統２とのそれぞれから、負荷部３へ電力Ｅ６０，Ｅ２を供給する。このとき、再生可能エネルギー発電装置１０から負荷部３へ電力Ｅ１０ａを供給しない（Ｅ１０ａ＝０）。
【０１５３】
条件１−３−２の場合には、条件１−３−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１５４】
条件１−３−２の場合には、条件１−３−１の場合と同様に、再生可能エネルギー発電装置１０が発電した電力Ｅ１０ｃを電力系統２へ出力しない（Ｅ１０ｃ＝０）。つまり、売電を行わない。
【０１５５】
［Ｂ−２−９］条件１−３−３
条件１−３−３の場合における動作について説明する。つまり、水素貯蔵装置５０において水素の貯蔵が無い点（Ｓ５０＝０）を除き、上記の条件１−３−１、条件１−３−２の場合と同じ条件における動作に関して、説明する。
【０１５６】
条件１−３−３の場合には、条件１−３−１および条件１−３−２の場合と異なり、電力系統２から負荷部３へ電力を供給する。ここでは、再生可能エネルギー発電装置１０および燃料電池発電装置６０から負荷部３へ電力Ｅ１０ａ，Ｅ６０を供給しない。
【０１５７】
条件１−３−３の場合には、条件１−３−１および条件１−３−２の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１５８】
条件１−３−３の場合には、条件１−３−１および条件１−３−２の場合と同様に、再生可能エネルギー発電装置１０が発電した電力Ｅ１０ｃを電力系統２へ出力しない（Ｅ１０ｃ＝０）。つまり、売電を行わない。
【０１５９】
［Ｂ−２−１０］条件２−１−１
条件２−１−１の場合における動作について説明する。つまり、負荷部３の電力使用が無い点（Ｄ３＝０）を除き、上記の条件１−１−１の場合と同じ条件における動作に関して、説明する。
【０１６０】
条件２−１−１の場合には、上記の条件１−１−１の場合と異なり、再生可能エネルギー発電装置１０と燃料電池発電装置６０と電力系統２とのそれぞれから、負荷部３へ電力Ｅ１０ａ，Ｅ６０，Ｅ２を供給しない。
【０１６１】
条件２−１−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１６２】
条件２−１−１の場合には、条件１−１−１の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０１６３】
なお、再生可能エネルギー発電装置１０が発電した電力Ｅ１０が余る場合には、たとえば、水素貯蔵装置５０において水素貯蔵タンク５０１を増設することによって、水素貯蔵装置５０の水素貯蔵容量を増加し、水素発生装置４０で生成した水素を更に多く貯蔵するように構成する。その他、この場合には、再生可能エネルギー発電装置１０の発電量を調整してもよい。
【０１６４】
［Ｂ−２−１１］条件２−１−２
条件２−１−２の場合における動作について説明する。つまり、水素貯蔵装置５０の水素貯蔵に関して空きが有る点（Ｓ５０＜Ｓｍａｘ）を除き、上記の条件２−１−１の場合と同じ条件における動作に関して、説明する。
【０１６５】
条件２−１−２の場合には、条件２−１−１の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１６６】
条件２−１−２の場合には、条件２−１−１の場合と異なり、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）から売電量Ｓ２を引いた値である（Ｄ４０＝Ｐ１０−Ｓ２）。これにより、水素発生装置４０においては、水素Ｈ４０の生成が行われ、その生成された水素Ｈ４０を水素貯蔵装置５０が貯蔵する。
【０１６７】
そして、条件２−１−２の場合には、条件２−１−１の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０１６８】
［Ｂ−２−１２］条件２−１−３
条件２−１−３の場合における動作について説明する。つまり、水素貯蔵装置５０において水素の貯蔵が無い点（Ｓ５０＝０）を除き、上記の条件２−１−１、条件２−１−２の場合と同じ条件における動作に関して、説明する。
【０１６９】
条件２−１−３の場合には、条件２−１−１、および、条件２−１−２の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１７０】
条件２−１−３の場合には、条件２−１−２の場合と同様に、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）から売電量Ｓ２を引いた値である（Ｄ４０＝Ｐ１０−Ｓ２）。これにより、水素発生装置４０においては、水素Ｈ４０の生成が行われ、その生成された水素Ｈ４０を水素貯蔵装置５０が貯蔵する。
【０１７１】
そして、条件２−１−３の場合には、条件２−１−１および条件２−１−２の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０１７２】
［Ｂ−２−１３］条件２−２−１
条件２−２−１の場合における動作について説明する。つまり、再生可能エネルギー発電装置１０の発電量（＝Ｐ１０）が売電制限量（＝Ｃｘ）以下である点（Ｐ１０≦Ｃｙ）を除き、上記の条件２−１−１の場合と同じ条件における動作に関して、説明する。
【０１７３】
条件２−２−１の場合には、上記の条件２−１−１の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１７４】
条件２−２−１の場合には、条件２−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１７５】
条件２−１−１の場合には、条件２−１−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）になる（Ｓ２＝Ｐ１０）。
【０１７６】
［Ｂ−２−１４］条件２−２−２
条件２−２−２の場合における動作について説明する。つまり、水素貯蔵装置５０の水素貯蔵に関して空きが有る点（Ｓ５０＜Ｓｍａｘ）を除き、上記の条件２−２−１の場合と同じ条件における動作に関して、説明する。
【０１７７】
条件２−２−２の場合には、条件２−２−１の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１７８】
条件２−２−２の場合には、条件２−２−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１７９】
そして、条件２−２−２の場合には、条件２−２−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）になる（Ｓ２＝Ｐ１０）。
【０１８０】
［Ｂ−２−１５］条件２−２−３
条件２−２−３の場合における動作について説明する。つまり、水素貯蔵装置５０において水素の貯蔵が無い点（Ｓ５０＝０）を除き、上記の条件２−２−１、条件２−２−２の場合と同じ条件における動作に関して、説明する。
【０１８１】
条件２−２−３の場合には、条件２−２−１、および、条件２−２−２の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１８２】
条件２−２−３の場合には、条件２−２−２の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０１８３】
そして、条件２−２−３の場合には、条件２−２−１および条件２−２−２の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）になる（Ｓ２＝Ｐ１０）。
【０１８４】
［Ｂ−２−１６］条件２−３
条件２−３の場合における動作について説明する。つまり、再生可能エネルギー発電装置１０の発電量（＝Ｐ１０）がゼロである点（Ｐ１０＝０）を除き、上記の条件２−１−１から条件２−１−３、および、条件２−２−１から条件２−２−３の場合と同じ条件における動作に関して、説明する。
【０１８５】
条件２−３の場合には、条件２−１−１から条件２−１−３、および、条件２−２−１から条件２−２−３の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０１８６】
条件２−３の場合には、条件２−１−１から条件２−１−３、および、条件２−２−１から条件２−２−３の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。ただし、必要に応じて、水素発生装置４０へ電力Ｅ１０ｂ，Ｅ２ａを供給し、水素発生装置４０において水素Ｈ４０を生成してもよい。
【０１８７】
条件２−３の場合には、条件２−１−１から条件２−１−３、および、条件２−２−１から条件２−２−３の場合と異なり、再生可能エネルギー発電装置１０が発電した電力Ｅ１０ｃを電力系統２へ出力しない（Ｅ１０ｃ＝０）。つまり、売電を行わない。
【０１８８】
［Ｂ−３］自立運転モード
自立運転モードは、上述したように、たとえば、災害などによって停電が発生した異常時、または、孤島に設置された場合のように、電力系統２の電力Ｅ２が供給されない状態のときに、実行される。
【０１８９】
図７Ａ，図７Ｂに示すように、自立運転モードを実行する際には、内部負荷モードを実行する場合と同様に、負荷部３の電力使用の状況と、再生可能エネルギー発電装置１０の発電の状況と、水素貯蔵装置５０の水素貯蔵の状況とのそれぞれに応じて、制御装置７０が各部の動作を制御する。
【０１９０】
図７Ａ，図７Ｂに示すように、自立運転モードを実行する際において、負荷部３の電力使用が有る場合（条件１−１−１から条件１−３−３）には、再生可能エネルギー発電装置１０と燃料電池発電装置６０との少なくとも１つから、負荷部３へ電力Ｅ１０ａ，Ｅ６０の供給が行われる。ここでは、再生可能エネルギー発電装置１０で発電された電力Ｅ１０ａを、燃料電池発電装置６０で発電される電力Ｅ６０よりも優先させて負荷部３へ供給する。これに対して、負荷部３の電力使用が無い場合（条件２−１−１から条件２−２）には、当然ながら、再生可能エネルギー発電装置１０と燃料電池発電装置６０とのそれぞれから、負荷部３へ電力Ｅ１０ａ，Ｅ６０を供給しない。
【０１９１】
また、自立運転モードを実行する際において、再生可能エネルギー発電装置１０の発電量（＝Ｐ１０）が負荷部３の電力使用量（＝Ｄ３）よりも多い場合（Ｐ１０＞Ｄ３）であって、水素貯蔵装置５０において水素貯蔵に空きが有る場合（条件１−１−２，条件１−１−３，条件２−１−２，条件２−１−３）には、再生可能エネルギー発電装置１０から水素発生装置４０へ電力Ｅ１０ｂを供給する。これにより、水素発生装置４０に水素Ｈ４０を生成させ、その水素発生装置４０で生成された水素Ｈ４０を水素貯蔵装置５０に貯蔵させる。
【０１９２】
自立運転モードを実行する際においては、再生可能エネルギー発電装置１０が発電した電力Ｅ１０ｃを電力系統２へ出力しない（Ｅ１０ｃ＝０）。つまり、売電を行わない。
【０１９３】
また、自立運転モードを実行する際には、水素貯蔵装置５０から燃料電池自動車４へ水素Ｈ５０ａを供給しない。
【０１９４】
自立運転モードを実行する場合において、各条件（条件１−１−１から条件２−２）に応じて行われる動作の具体的内容について、順次、説明する。
【０１９５】
［Ｂ−３−１］条件１−１−１
まず、条件１−１−１の場合における動作について説明する。つまり、負荷部３の電力使用が有り（Ｄ３＞０）、再生可能エネルギー発電装置１０の発電量（＝Ｐ１０）が負荷部３の電力使用量（＝Ｄ３）よりも多く（Ｐ１０＞Ｄ３）、かつ、水素貯蔵装置５０において水素貯蔵に関して空きが無いとき（Ｓ５０＝Ｓｍａｘ）の条件における動作に関して、説明する。
【０１９６】
条件１−１−１の場合には、再生可能エネルギー発電装置１０から負荷部３へ電力Ｅ１０ａを供給する。このとき、燃料電池発電装置６０から負荷部３へ電力Ｅ６０を供給しない。
【０１９７】
条件１−１−１の場合には、再生可能エネルギー発電装置１０から、水素発生装置４０へ電力Ｅ１０ｂ，Ｅ２ａを供給しない。つまり、水素発生装置４０においては、水素Ｈ４０が生成されない。
【０１９８】
条件１−１−１の場合には、再生可能エネルギー発電装置１０が発電した電力Ｅ１０ｃを電力系統２へ出力しない（Ｅ１０ｃ＝０）。つまり、上述したように、売電を行わない。
【０１９９】
なお、再生可能エネルギー発電装置１０が発電した電力Ｅ１０が余る場合には、たとえば、水素貯蔵装置５０において水素貯蔵タンク５０１を増設することによって、水素貯蔵装置５０の水素貯蔵容量を増加し、水素発生装置４０で生成した水素を更に多く貯蔵するように構成する。その他、この場合には、再生可能エネルギー発電装置１０の発電量を調整してもよい。
【０２００】
［Ｂ−３−２］条件１−１−２
条件１−１−２の場合における動作について説明する。つまり、水素貯蔵装置５０の水素貯蔵に関して空きが有る点（Ｓ５０＜Ｓｍａｘ）を除き、上記の条件１−１−１の場合と同じ条件における動作に関して、説明する。
【０２０１】
条件１−１−２の場合には、条件１−１−１の場合と同様に、再生可能エネルギー発電装置１０から負荷部３へ電力Ｅ１０ａを供給する。このとき、燃料電池発電装置６０から負荷部３へ電力Ｅ６０を供給しない。
【０２０２】
条件１−１−２の場合には、条件１−１−１の場合と異なり、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）から、負荷部３の電力使用量（＝Ｄ３）を引いた量である（Ｄ４０＝Ｐ１０−Ｄ３）。これにより、水素発生装置４０においては、水素Ｈ４０の生成が行われ、その生成された水素Ｈ４０を水素貯蔵装置５０が貯蔵する。
【０２０３】
そして、条件１−１−２の場合には、条件１−１−１の場合と同様に、再生可能エネルギー発電装置１０が発電した電力Ｅ１０ｃを電力系統２へ出力しない（Ｅ１０ｃ＝０）。つまり、売電を行わない。
【０２０４】
［Ｂ−３−３］条件１−１−３
条件１−１−３の場合における動作について説明する。つまり、水素貯蔵装置５０において水素の貯蔵が無い点（Ｓ５０＝０）を除き、上記の条件１−１−１、条件１−１−２の場合と同じ条件における動作に関して、説明する。
【０２０５】
条件１−１−３の場合には、条件１−１−１、および、条件１−１−２の場合と同様に、再生可能エネルギー発電装置１０から負荷部３へ電力Ｅ１０ａを供給する。このとき、燃料電池発電装置６０から負荷部３へ電力Ｅ６０を供給しない。
【０２０６】
条件１−１−３の場合には、条件１−１−２の場合と同様に、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）から、負荷部３の電力使用量（＝Ｄ３）を引いた量である（Ｄ４０＝Ｐ１０−Ｄ３）。これにより、水素発生装置４０においては、水素Ｈ４０の生成が行われ、その生成された水素Ｈ４０を水素貯蔵装置５０が貯蔵する。
【０２０７】
そして、条件１−１−３の場合には、条件１−１−１および条件１−１−２の場合と同様に、再生可能エネルギー発電装置１０が発電した電力Ｅ１０ｃを電力系統２へ出力しない（Ｅ１０ｃ＝０）。つまり、売電を行わない。
【０２０８】
［Ｂ−３−４］条件１−２−１
条件１−２−１の場合における動作について説明する。つまり、再生可能エネルギー発電装置１０の発電量（＝Ｐ１０）が負荷部３の電力使用量（＝Ｄ３）以下である点（Ｐ１０≦Ｄ３）を除き、上記の条件１−１−１の場合と同じ条件における動作に関して、説明する。
【０２０９】
条件１−２−１の場合には、条件１−１−１の場合と異なり、再生可能エネルギー発電装置１０と燃料電池発電装置６０とのそれぞれから負荷部３へ電力Ｅ１０ａ，Ｅ６０を供給する。
【０２１０】
条件１−２−１の場合には、条件１−１−１の場合と同様に、再生可能エネルギー発電装置１０から水素発生装置４０へ電力Ｅ１０ｂ，Ｅ２ａを供給しない。つまり、水素発生装置４０においては、水素Ｈ４０が生成されない。
【０２１１】
条件１−２−１の場合には、条件１−１−１の場合と同様に、再生可能エネルギー発電装置１０が発電した電力Ｅ１０ｃを電力系統２へ出力しない（Ｅ１０ｃ＝０）。つまり、売電を行わない。
【０２１２】
［Ｂ−３−５］条件１−２−２
条件１−２−２の場合における動作について説明する。つまり、水素貯蔵装置５０の水素貯蔵に関して空きが有る点（Ｓ５０＜Ｓｍａｘ）を除き、上記の条件１−２−１の場合と同じ条件における動作に関して、説明する。
【０２１３】
条件１−２−２の場合には、条件１−２−１の場合と同様に、再生可能エネルギー発電装置１０と燃料電池発電装置６０とのそれぞれから負荷部３へ電力を供給する。
【０２１４】
条件１−２−２の場合には、条件１−２−１の場合と同様に、再生可能エネルギー発電装置１０から、水素発生装置４０へ電力Ｅ１０ｂを供給しない。つまり、水素発生装置４０においては、水素Ｈ４０が生成されない。
【０２１５】
条件１−２−２の場合には、条件１−２−１の場合と同様に、再生可能エネルギー発電装置１０が発電した電力Ｅ１０ｃを電力系統２へ出力しない（Ｅ１０ｃ＝０）。つまり、売電を行わない。
【０２１６】
［Ｂ−３−６］条件１−２−３
条件１−２−３の場合における動作について説明する。つまり、水素貯蔵装置５０において水素の貯蔵が無い点（Ｓ５０＝０）を除き、上記の条件１−２−１、条件１−２−２の場合と同じ条件における動作に関して、説明する。
【０２１７】
条件１−２−３の場合には、再生可能エネルギー発電装置１０から負荷部３へ電力Ｅ１０ａを供給するが、条件１−２−１および条件１−２−２の場合と異なり、燃料電池発電装置６０から負荷部３へ電力Ｅ６０を供給しない。
【０２１８】
条件１−２−３の場合には、条件１−２−１および条件１−２−２の場合と同様に、再生可能エネルギー発電装置１０から水素発生装置４０へ電力Ｅ１０ｂを供給しない。つまり、水素発生装置４０においては、水素Ｈ４０が生成されない。
【０２１９】
条件１−２−３の場合には、条件１−２−１および条件１−２−２の場合と同様に、再生可能エネルギー発電装置１０が発電した電力Ｅ１０ｃを電力系統２へ出力しない（Ｅ１０ｃ＝０）。つまり、売電を行わない。
【０２２０】
［Ｂ−３−７］条件１−３−１
条件１−３−１の場合における動作について説明する。つまり、再生可能エネルギー発電装置１０の発電量（＝Ｐ１０）がゼロである点（Ｐ１０＝０）を除き、上記の条件１−１−１の場合と同じ条件における動作に関して、説明する。
【０２２１】
条件１−３−１の場合には、条件１−１−１の場合と異なり、燃料電池発電装置６０から負荷部３へ電力Ｅ６０を供給する。このとき、再生可能エネルギー発電装置１０から負荷部３へ電力を供給しない（Ｅ１０ａ＝０）。
【０２２２】
条件１−３−１の場合には、条件１−１−１の場合と同様に、再生可能エネルギー発電装置１０から、水素発生装置４０へ電力Ｅ１０ｂを供給しない。つまり、水素発生装置４０においては、水素Ｈ４０が生成されない。
【０２２３】
条件１−３−１の場合には、条件１−１−１の場合と同様に、再生可能エネルギー発電装置１０が発電した電力Ｅ１０ｃを電力系統２へ出力しない（Ｅ１０ｃ＝０）。つまり、売電を行わない。
【０２２４】
［Ｂ−３−８］条件１−３−２
条件１−３−２の場合における動作について説明する。つまり、水素貯蔵装置５０の水素貯蔵に関して空きが有る点（Ｓ５０＜Ｓｍａｘ）を除き、上記の条件１−３−１の場合と同じ条件における動作に関して、説明する。
【０２２５】
条件１−３−２の場合には、条件１−３−１の場合と同様に、燃料電池発電装置６０から、負荷部３へ電力Ｅ６０を供給する。このとき、再生可能エネルギー発電装置１０から負荷部３へ電力Ｅ１０ａを供給しない（Ｅ１０ａ＝０）。
【０２２６】
条件１−３−２の場合には、条件１−３−１の場合と同様に、再生可能エネルギー発電装置１０から水素発生装置４０へ電力Ｅ１０ｂを供給しない。つまり、水素発生装置４０においては、水素Ｈ４０が生成されない。
【０２２７】
条件１−３−２の場合には、条件１−３−１の場合と同様に、再生可能エネルギー発電装置１０が発電した電力Ｅ１０ｃを電力系統２へ出力しない（Ｅ１０ｃ＝０）。つまり、売電を行わない。
【０２２８】
［Ｂ−３−９］条件１−３−３
条件１−３−３の場合における動作について説明する。つまり、水素貯蔵装置５０において水素の貯蔵が無い点（Ｓ５０＝０）を除き、上記の条件１−３−１、条件１−３−２の場合と同じ条件における動作に関して、説明する。
【０２２９】
条件１−３−３の場合には、条件１−３−１および条件１−３−２の場合と異なり、再生可能エネルギー発電装置１０および燃料電池発電装置６０から負荷部３へ電力Ｅ１０ａ，Ｅ６０を供給しない。
【０２３０】
条件１−３−３の場合には、条件１−３−１および条件１−３−２の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０２３１】
条件１−３−３の場合には、条件１−３−１および条件１−３−２の場合と同様に、再生可能エネルギー発電装置１０が発電した電力Ｅ１０ｃを電力系統２へ出力しない（Ｅ１０ｃ＝０）。つまり、売電を行わない。
【０２３２】
［Ｂ−３−１０］条件２−１−１
条件２−１−１の場合における動作について説明する。つまり、負荷部３の電力使用が無い点（Ｄ３＝０）を除き、上記の条件１−１−１から条件１−２−３の場合と同じ条件における動作に関して、説明する。
【０２３３】
条件２−１−１の場合には、上記の条件１−１−１から条件１−２−３の場合と異なり、再生可能エネルギー発電装置１０と燃料電池発電装置６０のそれぞれから、負荷部３へ電力Ｅ１０ａ，Ｅ６０を供給しない。
【０２３４】
条件２−１−１の場合には、条件１−１−１の場合と同様に、再生可能エネルギー発電装置１０から水素発生装置４０へ電力Ｅ１０ｂを供給しない。つまり、水素発生装置４０においては、水素Ｈ４０が生成されない。
【０２３５】
条件２−１−１の場合には、条件１−１−１の場合と同様に、再生可能エネルギー発電装置１０が発電した電力Ｅ１０ｃを電力系統２へ出力しない（Ｅ１０ｃ＝０）。つまり、売電を行わない。
【０２３６】
なお、再生可能エネルギー発電装置１０が発電した電力Ｅ１０が余る場合には、たとえば、水素貯蔵装置５０において水素貯蔵タンク５０１を増設することによって、水素貯蔵装置５０の水素貯蔵容量を増加し、水素発生装置４０で生成した水素を更に多く貯蔵するように構成する。その他、この場合には、再生可能エネルギー発電装置１０の発電量を調整してもよい。
【０２３７】
［Ｂ−３−１１］条件２−１−２
条件２−１−２の場合における動作について説明する。つまり、水素貯蔵装置５０の水素貯蔵に関して空きが有る点（Ｓ５０＜Ｓｍａｘ）を除き、上記の条件２−１−１の場合と同じ条件における動作に関して、説明する。
【０２３８】
条件２−１−２の場合には、条件２−１−１の場合と同様に、再生可能エネルギー発電装置１０と燃料電池発電装置６０とのそれぞれから、負荷部３へ電力Ｅ１０ａ，Ｅ６０を供給しない。
【０２３９】
条件２−１−２の場合には、条件２−１−１の場合と異なり、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）と同じである（Ｄ４０＝１０）。これにより、水素発生装置４０においては、水素Ｈ４０の生成が行われ、その生成された水素Ｈ４０を水素貯蔵装置５０が貯蔵する。
【０２４０】
条件２−１−２の場合には、条件２−１−１の場合と同様に、再生可能エネルギー発電装置１０が発電した電力Ｅ１０ｃを電力系統２へ出力しない（Ｅ１０ｃ＝０）。つまり、売電を行わない。
【０２４１】
［Ｂ−３−１２］条件２−１−３
条件２−１−３の場合における動作について説明する。つまり、水素貯蔵装置５０において水素の貯蔵が無い点（Ｓ５０＝０）を除き、上記の条件２−１−１、条件２−１−２の場合と同じ条件における動作に関して、説明する。
【０２４２】
条件２−１−３の場合には、条件２−１−１、および、条件２−１−２の場合と同様に、再生可能エネルギー発電装置１０と燃料電池発電装置６０とのそれぞれから、負荷部３へ電力Ｅ１０ａ，Ｅ６０を供給しない。
【０２４３】
条件２−１−３の場合には、条件２−１−２の場合と同様に、再生可能エネルギー発電装置１０から水素発生装置４０へ電力Ｅ１０ｂを供給する。ここでは、水素発生装置４０へ供給する電力供給量（＝Ｄ４０）は、再生可能エネルギー発電装置１０の発電量（＝Ｐ１０）と同じである（Ｄ４０＝Ｐ１０）。これにより、水素発生装置４０においては、水素Ｈ４０の生成が行われ、その生成された水素Ｈ４０を水素貯蔵装置５０が貯蔵する。
【０２４４】
条件２−１−３の場合には、条件２−１−２の場合と同様に、再生可能エネルギー発電装置１０が発電した電力Ｅ１０ｃを電力系統２へ出力しない（Ｅ１０ｃ＝０）。つまり、売電を行わない。
【０２４５】
［Ｂ−３−１３］条件２−２
条件２−２の場合における動作について説明する。つまり、再生可能エネルギー発電装置１０の発電量（＝Ｐ１０）がゼロである点（Ｐ１０＝０）を除き、上記の条件２−１−１から条件２−１−３の場合と同じ条件における動作に関して、説明する。
【０２４６】
条件２−２の場合には、上記の条件２−１−１から条件２−１−３の場合と同様に、再生可能エネルギー発電装置１０と燃料電池発電装置６０とのそれぞれから、負荷部３へ電力Ｅ１０ａ，Ｅ６０を供給しない。
【０２４７】
条件２−２の場合には、条件２−１−１の場合と同様に、再生可能エネルギー発電装置１０から、水素発生装置４０へ電力Ｅ１０ｂを供給しない。つまり、水素発生装置４０においては、水素Ｈ４０が生成されない。
【０２４８】
条件２−２の場合には、条件２−１−１から条件２−１−３の場合と同様に、再生可能エネルギー発電装置１０が発電した電力Ｅ１０ｃを電力系統２へ出力しない（Ｅ１０ｃ＝０）。つまり、売電を行わない。
【０２４９】
［Ｂ−４］水素外部供給モード
水素外部供給モードは、水素貯蔵装置５０が貯蔵している水素Ｈ５０を外部の燃料電池自動車４（外部水素使用装置）に供給した場合に、水素発生装置４０に水素Ｈ４０を生成させて水素貯蔵装置５０に水素Ｈ４０を補充するときに実行される。
【０２５０】
図８Ａ，図８Ｂに示すように、水素外部供給モードを実行する際には、負荷部３の電力使用の状況と、再生可能エネルギー発電装置１０の発電の状況と、水素貯蔵装置５０の水素貯蔵の状況とのそれぞれに応じて、制御装置７０が各部の動作を制御する。
【０２５１】
このため、水素外部供給モードの動作は、内部負荷モードの場合と同様に、負荷部３の電力使用が有る場合（条件１−１−１から条件１−３−３）と無い場合（条件２−１−１から条件２−３）とに応じて、制御される。
【０２５２】
また、水素外部供給モードの動作は、内部負荷モードの場合と同様に、再生可能エネルギー発電装置１０の発電が有る場合（条件１−１−１から条件１−２−３，条件２−１−１から条件２−１−３）と無い場合（条件１−３−１から条件１−３−３，条件２−２）とに応じて、水素外部供給モードの動作が制御される。再生可能エネルギー発電装置１０の発電が有る場合（Ｐ１０＞０）については、再生可能エネルギー発電装置１０の発電量（＝Ｐ１０）が、水素発生装置４０において電解のときに使用する電解電力量（＝Ｃｙ）以上の場合（Ｐ１０≧Ｃｙ，条件１−１−１から条件１−１−３、条件２−１−１から条件２−１−３）と、再生可能エネルギー発電装置１０の発電量（＝Ｐ１０）が水素発生装置４０の電解電力量（＝Ｃｙ）よりも少ない場合（Ｐ１０＜Ｃｙ，条件１−２−１から条件１−２−３、条件２−２−１から条件２−２−３）とに応じて、動作が制御される。
【０２５３】
これと共に、水素外部供給モードの動作は、内部負荷モードの場合と同様に、水素貯蔵装置５０において水素の貯蔵が有る場合（条件１−１−１から条件１−１−２，条件１−２−１から条件１−２−２，条件１−３−１から条件１−３−２，条件２−１−１から条件２−１−２，条件２−２−１から条件２−２−２）と無い場合（条件１−１−３，条件１−２−３，条件１−３−３，条件２−１−３，条件２−２−３）とに応じて、水素外部供給モードの動作が制御される。水素貯蔵装置５０において水素の貯蔵が有る場合（Ｓ５０＞０）については、水素貯蔵装置５０の水素貯蔵に関して空きが無い場合（条件１−１−１，条件１−２−１，条件１−３−１，条件２−１−１，条件２−２−１）と有る場合（条件１−１−２，条件１−２−２，条件１−３−２，条件２−１−２，条件２−２−２）とに応じて、動作が制御される。
【０２５４】
図８Ａ，図８Ｂに示すように、水素外部供給モードを実行する際において、負荷部３の電力使用が有る場合（条件１−１−１から条件１−３−３）には、再生可能エネルギー発電装置１０と燃料電池発電装置６０と電力系統２との少なくとも１つから、負荷部３へ電力Ｅ１０ａ，Ｅ６０，Ｅ２の供給が行われる。ここでは、再生可能エネルギー発電装置１０で発電された電力Ｅ１０ａを、電力系統２の電力Ｅ２および燃料電池発電装置６０で発電される電力Ｅ６０よりも優先させて負荷部３へ供給する。これに対して、負荷部３の電力使用が無い場合（条件２−１−１から条件２−３）には、当然ながら、再生可能エネルギー発電装置１０と燃料電池発電装置６０と電力系統２とのそれぞれから、負荷部３へ電力Ｅ１０ａ，Ｅ６０，Ｅ２を供給しない。
【０２５５】
また、水素外部供給モードを実行する際において、再生可能エネルギー発電装置１０の発電量（＝Ｐ１０）がゼロを超える場合（Ｐ１０＞０）であって、水素貯蔵装置５０において水素貯蔵に空きが有る場合（条件１−１−２，条件１−１−３，条件１−２−２，条件１−２−３，条件２−１−２，条件２−１−３，条件２−２−２，条件２−２−３）には、再生可能エネルギー発電装置１０から水素発生装置４０へ電力Ｅ１０ｂを供給する。これと共に、再生可能エネルギー発電装置１０の発電量（＝Ｐ１０）が水素発生装置４０の電解電力量（＝Ｃｙ）よりも少ない場合（Ｐ１０＜Ｃｙ）には、電力系統２から水素発生装置４０へ電力を供給する。これにより、水素発生装置４０に水素Ｈ４０を生成させ、その水素発生装置４０で生成された水素Ｈ４０を水素貯蔵装置５０に貯蔵させる。
【０２５６】
更に、水素外部供給モードを実行する際において、再生可能エネルギー発電装置１０の発電が有る場合であって、再生可能エネルギー発電装置１０の発電量（＝Ｐ１０）に余剰がある場合には（Ｐ１０＞０，条件１−１−１から条件１−２−１，条件２−１−１から条件２−２−１）、再生可能エネルギー発電装置１０が発電した電力Ｅ１０ｃを電力系統２へ出力することによって、売電を行う。
【０２５７】
水素外部供給モードを実行する際には、各条件（条件１−１−１から条件２−３）に関わらずに、水素貯蔵装置５０から燃料電池自動車４へ水素Ｈ５０ａを供給する。
【０２５８】
水素外部供給モードの場合において、各条件（条件１−１−１から条件２−３）に応じて行われる動作の具体的内容について、順次、説明する。
【０２５９】
［Ｂ−４−１］条件１−１−１
まず、条件１−１−１の場合における動作について説明する。つまり、負荷部３の電力使用が有り（Ｄ３＞０）、再生可能エネルギー発電装置１０の発電量（＝Ｐ１０）が水素貯蔵装置５０の電解電力量（＝Ｃｙ）以上（Ｐ１０≧Ｃｙ）であり、かつ、水素貯蔵装置５０において水素貯蔵に関して空きが無いとき（Ｓ５０＝Ｓｍａｘ）の条件における動作に関して、説明する。
【０２６０】
条件１−１−１の場合には、再生可能エネルギー発電装置１０および燃料電池発電装置６０から負荷部３へ電力Ｅ１０ａ，Ｅ６０を供給する。このとき、必要に応じて、電力系統２から負荷部３へ更に電力Ｅ２を供給する。ここでは、再生可能エネルギー発電装置１０の発電量と燃料電池発電装置６０の発電量との合計量が、負荷部３の電力使用量よりも小さいときに、電力系統２から更に負荷部３へ電力Ｅ２を供給する。
【０２６１】
条件１−１−１の場合には、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０２６２】
条件１−１−１の場合には、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０２６３】
そして、上述したように、水素貯蔵装置５０から燃料電池自動車４へ水素Ｈ５０ａの供給が行われる。
【０２６４】
［Ｂ−４−２］条件１−１−２
条件１−１−２の場合における動作について説明する。つまり、水素貯蔵装置５０の水素貯蔵に関して空きが有る点（Ｓ５０＜Ｓｍａｘ）を除き、上記の条件１−１−１の場合と同じ条件における動作に関して、説明する。
【０２６５】
条件１−１−２の場合には、再生可能エネルギー発電装置１０から負荷部３へ電力Ｅ１０ａを供給するが、条件１−１−１の場合と異なり、燃料電池発電装置６０から負荷部３へ電力Ｅ６０を供給しない。このとき、必要に応じて、電力系統２から負荷部３へ更に電力Ｅ２を供給する。
【０２６６】
条件１−１−２の場合には、条件１−１−１の場合と異なり、再生可能エネルギー発電装置１０から水素発生装置４０へ電力Ｅ１０ｂを供給する。ここでは、水素発生装置４０へ供給する電力供給量（＝Ｄ４０ａ）は、電解電力量（＝Ｃｙ）と同じである（Ｄ４０ａ＝Ｃｙ）。これにより、水素発生装置４０においては、水素Ｈ４０の生成が行われ、その生成された水素Ｈ４０を水素貯蔵装置５０が貯蔵する。なお、電力系統２から水素発生装置４０へ電力Ｅ２を供給しない。つまり、電力系統２から水素発生装置４０へ供給する電力Ｅ２の電力供給量（＝Ｄ４０ｂ）は、ゼロである（Ｄ４０ｂ＝０）。このため、水素発生装置４０が供給される全ての電力供給量（＝Ｄ４０）は、電解電力量（＝Ｃｙ）と同じである（Ｄ４０＝Ｄ４０ａ＋Ｄ４０ｂ＝Ｃｙ）。
【０２６７】
条件１−１−２の場合には、条件１−１−１の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０２６８】
そして、上述したように、水素貯蔵装置５０から燃料電池自動車４へ水素Ｈ５０ａの供給が行われる。
【０２６９】
［Ｂ−４−３］条件１−１−３
条件１−１−３の場合における動作について説明する。つまり、水素貯蔵装置５０において水素の貯蔵が無い点（Ｓ５０＝０）を除き、上記の条件１−１−１、条件１−１−２の場合と同じ条件における動作に関して、説明する。
【０２７０】
条件１−１−３の場合には、条件１−１−２の場合と同様に、再生可能エネルギー発電装置１０から負荷部３へ電力Ｅ１０ａを供給するが、燃料電池発電装置６０から負荷部３へ電力Ｅ６０を供給しない。このとき、必要に応じて、電力系統２から負荷部３へ更に電力Ｅ２を供給する。
【０２７１】
条件１−１−３の場合には、条件１−１−２の場合と同様に、再生可能エネルギー発電装置１０から水素発生装置４０へ電力Ｅ１０ｂを供給する。ここでは、水素発生装置４０へ供給する電力供給量（＝Ｄ４０ａ）は、電解電力量（＝Ｃｙ）と同じである（Ｄ４０ａ＝Ｃｙ）。これにより、水素発生装置４０においては、水素Ｈ４０の生成が行われ、その生成された水素Ｈ４０を水素貯蔵装置５０が貯蔵する。
【０２７２】
条件１−１−３の場合には、条件１−１−１および条件１−１−２の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０２７３】
そして、上述したように、水素貯蔵装置５０から燃料電池自動車４へ水素Ｈ５０ａの供給が行われる。
【０２７４】
［Ｂ−４−４］条件１−２−１
条件１−２−１の場合における動作について説明する。つまり、再生可能エネルギー発電装置１０の発電量（＝Ｐ１０）が水素貯蔵装置５０の電解電力量（＝Ｃｙ）よりも少ない点（Ｐ１０＜Ｃｙ）を除き、上記の条件１−１−１の場合と同じ条件における動作に関して、説明する。
【０２７５】
条件１−２−１の場合には、条件１−１−１の場合と異なり、電力系統２から負荷部３へ電力Ｅ２を供給する。また、必要に応じて、燃料電池発電装置６０から負荷部３へ電力Ｅ６０を供給する。たとえば、電力系統３から導入する電力Ｅ２ａを減らすと共に、燃料電池自動車４へ供給する水素量を確保するように、燃料電池発電装置６０から負荷部３へ電力Ｅ６０を供給する。ここでは、再生可能エネルギー発電装置１０から負荷部３へ電力Ｅ１０ａを供給しない（Ｅ１０ａ＝０）。
【０２７６】
条件１−２−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０２７７】
条件１−２−１の場合には、条件１−１−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）になる（Ｓ２＝Ｐ１０）。
【０２７８】
そして、上述したように、水素貯蔵装置５０から燃料電池自動車４へ水素Ｈ５０ａの供給が行われる。
【０２７９】
［Ｂ−４−５］条件１−２−２
条件１−２−２の場合における動作について説明する。つまり、水素貯蔵装置５０の水素貯蔵に関して空きが有る点（Ｓ５０＜Ｓｍａｘ）を除き、上記の条件１−２−１の場合と同じ条件における動作に関して、説明する。
【０２８０】
条件１−２−２の場合には、条件１−２−１の場合と同様に、電力系統２から負荷部３へ電力Ｅ２を供給する。ここでは、再生可能エネルギー発電装置１０、および、燃料電池発電装置６０から負荷部３へ電力Ｅ１０ａ，Ｅ６０を供給しない。
【０２８１】
条件１−２−２の場合には、条件１−２−１の場合と異なり、再生可能エネルギー発電装置１０および電力系統２から水素発生装置４０へ電力Ｅ１０ｂ，Ｅ２を供給する。ここでは、再生可能エネルギー発電装置１０から水素発生装置４０へ供給する電力供給量（＝Ｄ４０ａ）は、再生可能エネルギー発電装置１０の発電量（＝Ｐ１０）と同じである（Ｄ４０ａ＝Ｐ１０）。また、電力系統２から水素発生装置４０へ供給する電力供給量（＝Ｄ４０ｂ）は、再生可能エネルギー発電装置１０の発電量（＝Ｐ１０）から電解電力量（＝Ｃｙ）を引いた量と同じである（Ｄ４０ｂ＝Ｐ１０−Ｃｙ）。このため、水素発生装置４０が供給される全ての電力供給量（＝Ｄ４０）は、電解電力量（＝Ｃｙ）と同じである（Ｄ４０＝Ｄ４０ａ＋Ｄ４０ｂ＝Ｃｙ）。これにより、水素発生装置４０においては、水素Ｈ４０の生成が行われ、その生成された水素Ｈ４０を水素貯蔵装置５０が貯蔵する。
【０２８２】
条件１−２−２の場合には、条件１−２−１の場合と異なり、再生可能エネルギー発電装置１０が発電した電力Ｅ１０ｃを電力系統２へ出力しない（Ｅ１０ｃ＝０）。つまり、売電を行わない。
【０２８３】
そして、上述したように、水素貯蔵装置５０から燃料電池自動車４へ水素Ｈ５０ａの供給が行われる。
【０２８４】
［Ｂ−４−６］条件１−２−３
条件１−２−３の場合における動作について説明する。つまり、水素貯蔵装置５０において水素の貯蔵が無い点（Ｓ５０＝０）を除き、上記の条件１−２−１、条件１−２−２の場合と同じ条件における動作に関して、説明する。
【０２８５】
条件１−２−３の場合には、条件１−２−２の場合と同様に、電力系統２から負荷部３へ電力Ｅ２を供給する。ここでは、再生可能エネルギー発電装置１０、および、燃料電池発電装置６０から負荷部３へ電力Ｅ１０ａ，Ｅ６０を供給しない。
【０２８６】
条件１−２−３の場合には、条件１−２−２の場合と同様に、再生可能エネルギー発電装置１０および電力系統２から水素発生装置４０へ電力Ｅ１０ｂ，Ｅ２を供給する。ここでは、再生可能エネルギー発電装置１０から水素発生装置４０へ供給する電力供給量（＝Ｄ４０ａ）は、再生可能エネルギー発電装置１０の発電量（＝Ｐ１０）と同じである（Ｄ４０ａ＝Ｐ１０）。また、電力系統２から水素発生装置４０へ供給する電力供給量（＝Ｄ４０ｂ）は、再生可能エネルギー発電装置１０の発電量（＝Ｐ１０）から電解電力量（＝Ｃｙ）を引いた量と同じである（Ｄ４０ｂ＝Ｐ１０−Ｃｙ）。このため、水素発生装置４０が供給される全ての電力供給量（＝Ｄ４０）は、電解電力量（＝Ｃｙ）と同じである（Ｄ４０＝Ｄ４０ａ＋Ｄ４０ｂ＝Ｃｙ）。これにより、水素発生装置４０においては、水素Ｈ４０の生成が行われ、その生成された水素Ｈ４０を水素貯蔵装置５０が貯蔵する。
【０２８７】
条件１−２−３の場合には、条件１−２−２の場合と同様に、再生可能エネルギー発電装置１０が発電した電力Ｅ１０ｃを電力系統２へ出力しない（Ｅ１０ｃ＝０）。つまり、売電を行わない。
【０２８８】
そして、上述したように、水素貯蔵装置５０から燃料電池自動車４へ水素Ｈ５０ａの供給が行われる。
【０２８９】
［Ｂ−４−７］条件１−３−１
条件１−３−１の場合における動作について説明する。つまり、再生可能エネルギー発電装置１０の発電量（＝Ｐ１０）がゼロである点（Ｐ１０＝０）を除き、上記の条件１−１−１の場合と同じ条件における動作に関して、説明する。
【０２９０】
条件１−３−１の場合には、条件１−１−１の場合と異なり、再生可能エネルギー発電装置１０と燃料電池発電装置６０と電力系統２とのそれぞれから、負荷部３へ電力Ｅ１０ａ，Ｅ６０，Ｅ２を供給しない。ここでは、電力系統２から負荷部３へ電力Ｅ２を供給する。
【０２９１】
条件１−３−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０２９２】
条件１−３−１の場合には、条件１−１−１の場合と異なり、再生可能エネルギー発電装置１０が発電した電力Ｅ１０ｃを電力系統２へ出力しない（Ｅ１０ｃ＝０）。つまり、売電を行わない。
【０２９３】
そして、上述したように、水素貯蔵装置５０から燃料電池自動車４へ水素Ｈ５０ａの供給が行われる。
【０２９４】
［Ｂ−４−８］条件１−３−２
条件１−３−２の場合における動作について説明する。つまり、水素貯蔵装置５０の水素貯蔵に関して空きが有る点（Ｓ５０＜Ｓｍａｘ）を除き、上記の条件１−３−１の場合と同じ条件における動作に関して、説明する。
【０２９５】
条件１−３−２の場合には、条件１−３−１の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。ここでは、電力系統２から負荷部３へ電力Ｅ２を供給する。
【０２９６】
条件１−３−２の場合には、条件１−３−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０２９７】
条件１−３−２の場合には、条件１−３−１の場合と同様に、再生可能エネルギー発電装置１０が発電した電力Ｅ１０ｃを電力系統２へ出力しない（Ｅ１０ｃ＝０）。つまり、売電を行わない。
【０２９８】
そして、上述したように、水素貯蔵装置５０から燃料電池自動車４へ水素Ｈ５０ａの供給が行われる。
【０２９９】
［Ｂ−４−９］条件１−３−３
条件１−３−３の場合における動作について説明する。つまり、水素貯蔵装置５０において水素の貯蔵が無い点（Ｓ５０＝０）を除き、上記の条件１−３−１、条件１−３−２の場合と同じ条件における動作に関して、説明する。
【０３００】
条件１−３−３の場合には、条件１−３−１および条件１−３−２の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。ここでは、電力系統２から負荷部３へ電力Ｅ２を供給する。
【０３０１】
条件１−３−３の場合には、条件１−３−１および条件１−３−２の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０３０２】
条件１−３−３の場合には、条件１−３−１および条件１−３−２の場合と同様に、再生可能エネルギー発電装置１０が発電した電力Ｅ１０ｃを電力系統２へ出力しない（Ｅ１０ｃ＝０）。つまり、売電を行わない。
【０３０３】
そして、上述したように、水素貯蔵装置５０から燃料電池自動車４へ水素Ｈ５０ａの供給が行われる。
【０３０４】
［Ｂ−４−１０］条件２−１−１
条件２−１−１の場合における動作について説明する。つまり、負荷部３の電力使用が無い点（Ｄ３＝０）を除き、上記の条件１−１−１の場合と同じ条件における動作に関して、説明する。
【０３０５】
条件２−１−１の場合には、上記の条件１−１−１の場合と異なり、再生可能エネルギー発電装置１０と燃料電池発電装置６０と電力系統２とのそれぞれから、負荷部３へ電力Ｅ１０ａ，Ｅ６０，Ｅ２を供給しない。
【０３０６】
条件２−１−１の場合には、条件１−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０３０７】
条件２−１−１の場合には、条件１−１−１の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０３０８】
［Ｂ−４−１１］条件２−１−２
条件２−１−２の場合における動作について説明する。つまり、水素貯蔵装置５０の水素貯蔵に関して空きが有る点（Ｓ５０＜Ｓｍａｘ）を除き、上記の条件２−１−１の場合と同じ条件における動作に関して、説明する。
【０３０９】
条件２−１−２の場合には、条件２−１−１の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０３１０】
条件２−１−２の場合には、条件２−１−１の場合と異なり、再生可能エネルギー発電装置１０から水素発生装置４０へ電力Ｅ１０ｂを供給する。ここでは、水素発生装置４０へ供給する電力供給量（＝Ｄ４０ａ）は、電解電力量（＝Ｃｙ）と同じである（Ｄ４０ａ＝Ｃｙ）。これにより、水素発生装置４０においては、水素Ｈ４０の生成が行われ、その生成された水素Ｈ４０を水素貯蔵装置５０が貯蔵する。なお、電力系統２から水素発生装置４０へ電力Ｅ２を供給しない。つまり、電力系統２から水素発生装置４０へ供給する電力Ｅ２の電力供給量（＝Ｄ４０ｂ）は、ゼロである（Ｄ４０ｂ＝０）。このため、水素発生装置４０が供給される全ての電力供給量（＝Ｄ４０）は、電解電力量（＝Ｃｙ）と同じである（Ｄ４０＝Ｄ４０ａ＋Ｄ４０ｂ＝Ｃｙ）。
【０３１１】
条件２−１−２の場合には、条件２−１−１の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０３１２】
そして、上述したように、水素貯蔵装置５０から燃料電池自動車４へ水素Ｈ５０ａの供給が行われる。
【０３１３】
［Ｂ−４−１２］条件２−１−３
条件２−１−３の場合における動作について説明する。つまり、水素貯蔵装置５０において水素の貯蔵が無い点（Ｓ５０＝０）を除き、上記の条件２−１−１、条件２−１−２の場合と同じ条件における動作に関して、説明する。
【０３１４】
条件２−１−３の場合には、条件２−１−１、および、条件２−１−２の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０３１５】
条件２−１−３の場合には、条件２−１−２の場合と同様に、再生可能エネルギー発電装置１０から水素発生装置４０へ電力Ｅ１０ｂを供給する。ここでは、水素発生装置４０へ供給する電力供給量（＝Ｄ４０ａ）は、電解電力量（＝Ｃｙ）と同じである（Ｄ４０ａ＝Ｃｙ）。これにより、水素発生装置４０においては、水素Ｈ４０の生成が行われ、その生成された水素Ｈ４０を水素貯蔵装置５０が貯蔵する。なお、電力系統２から水素発生装置４０へ電力Ｅ２を供給しない。
【０３１６】
条件２−１−３の場合には、条件２−１−１および条件２−１−２の場合と同様に、再生可能エネルギー発電装置１０が発電した電力Ｅ１０ｃを電力系統２へ出力することによって、売電を行う。ここでは、売電量（＝Ｓ２）は、売電制限量（＝Ｃｘ）になる（Ｓ２＝Ｃｘ）。
【０３１７】
そして、上述したように、水素貯蔵装置５０から燃料電池自動車４へ水素Ｈ５０ａの供給が行われる。
【０３１８】
［Ｂ−４−１３］条件２−２−１
条件２−２−１の場合における動作について説明する。つまり、再生可能エネルギー発電装置１０の発電量（＝Ｐ１０）が水素貯蔵装置５０の電解電力量（＝Ｃｙ）よりも少ない点（Ｐ１０＜Ｃｙ）を除き、上記の条件２−１−１の場合と同じ条件における動作に関して、説明する。
【０３１９】
条件２−２−１の場合には、上記の条件２−１−１の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０３２０】
条件２−２−１の場合には、条件２−１−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０３２１】
条件２−１−１の場合には、条件２−１−１の場合と同様に、再生可能エネルギー発電装置１０が発電した電力Ｅ１０ｃを電力系統２へ出力することによって、売電を行う。ここでは、売電量（＝Ｓ２）は、再生可能エネルギー発電装置１０の発電量（＝Ｐ１０）になる（Ｓ２＝Ｐ１０）。
【０３２２】
そして、上述したように、水素貯蔵装置５０から燃料電池自動車４へ水素Ｈ５０ａの供給が行われる。
【０３２３】
［Ｂ−４−１４］条件２−２−２
条件２−２−２の場合における動作について説明する。つまり、水素貯蔵装置５０の水素貯蔵に関して空きが有る点（Ｓ５０＜Ｓｍａｘ）を除き、上記の条件２−２−１の場合と同じ条件における動作に関して、説明する。
【０３２４】
条件２−２−２の場合には、条件２−２−１の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０３２５】
条件２−２−２の場合には、条件２−２−１の場合と異なり、再生可能エネルギー発電装置１０および電力系統２から水素発生装置４０へ電力Ｅ１０ｂ，Ｅ２を供給する。ここでは、再生可能エネルギー発電装置１０から水素発生装置４０へ供給する電力供給量（＝Ｄ４０ａ）は、再生可能エネルギー発電装置１０の発電量（＝Ｐ１０）と同じである（Ｄ４０ａ＝Ｐ１０）。また、電力系統２から水素発生装置４０へ供給する電力供給量（＝Ｄ４０ｂ）は、再生可能エネルギー発電装置１０の発電量（＝Ｐ１０）から電解電力量（＝Ｃｙ）を引いた量と同じである（Ｄ４０ｂ＝Ｐ１０−Ｃｙ）。このため、水素発生装置４０が供給される全ての電力供給量（＝Ｄ４０）は、電解電力量（＝Ｃｙ）と同じである（Ｄ４０＝Ｄ４０ａ＋Ｄ４０ｂ＝Ｃｙ）。これにより、水素発生装置４０においては、水素Ｈ４０の生成が行われ、その生成された水素Ｈ４０を水素貯蔵装置５０が貯蔵する。
【０３２６】
条件２−２−２の場合には、条件２−２−１の場合と異なり、再生可能エネルギー発電装置１０が発電した電力Ｅ１０ｃを電力系統２へ出力しない。つまり、売電を行わない。
【０３２７】
そして、上述したように、水素貯蔵装置５０から燃料電池自動車４へ水素Ｈ５０ａの供給が行われる。
【０３２８】
［Ｂ−４−１５］条件２−２−３
条件２−２−３の場合における動作について説明する。つまり、水素貯蔵装置５０において水素の貯蔵が無い点（Ｓ５０＝０）を除き、上記の条件２−２−１、条件２−２−２の場合と同じ条件における動作に関して、説明する。
【０３２９】
条件２−２−３の場合には、条件２−２−１、および、条件２−２−２の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０３３０】
条件２−２−３の場合には、条件２−２−２の場合と同様に、再生可能エネルギー発電装置１０および電力系統２から水素発生装置４０へ電力Ｅ１０ｂ，Ｅ２を供給する。ここでは、再生可能エネルギー発電装置１０から水素発生装置４０へ供給する電力供給量（＝Ｄ４０ａ）は、再生可能エネルギー発電装置１０の発電量（＝Ｐ１０）と同じである（Ｄ４０ａ＝Ｐ１０）。また、電力系統２から水素発生装置４０へ供給する電力供給量（＝Ｄ４０ｂ）は、再生可能エネルギー発電装置１０の発電量（＝Ｐ１０）から電解電力量（＝Ｃｙ）を引いた量と同じである（Ｄ４０ｂ＝Ｐ１０−Ｃｙ）。このため、水素発生装置４０が供給される全ての電力供給量（＝Ｄ４０）は、電解電力量（＝Ｃｙ）と同じである（Ｄ４０＝Ｄ４０ａ＋Ｄ４０ｂ＝Ｃｙ）。これにより、水素発生装置４０においては、水素Ｈ４０の生成が行われ、その生成された水素Ｈ４０を水素貯蔵装置５０が貯蔵する。
【０３３１】
条件２−２−３の場合には、条件２−２−２の場合と同様に、再生可能エネルギー発電装置１０が発電した電力Ｅ１０ｃを電力系統２へ出力しない（Ｅ１０ｃ＝０）。つまり、売電を行わない。
【０３３２】
そして、上述したように、水素貯蔵装置５０から燃料電池自動車４へ水素Ｈ５０ａの供給が行われる。
【０３３３】
［Ｂ−４−１６］条件２−３
条件２−３の場合における動作について説明する。つまり、再生可能エネルギー発電装置１０の発電量（＝Ｐ１０）がゼロである点（Ｐ１０＝０）を除き、上記の条件２−１−１から条件２−１−３、および、条件２−２−１から条件２−２−３の場合と同じ条件における動作に関して、説明する。
【０３３４】
条件２−３の場合には、条件２−１−１から条件２−１−３、および、条件２−２−１から条件２−２−３の場合と同様に、再生可能エネルギー発電装置１０と燃料電池発電装置６０と電力系統２とのそれぞれから、負荷部３へ電力Ｅ１０ａ，Ｅ６０，Ｅ２を供給しない。
【０３３５】
条件２−３の場合には、条件２−１−１および条件２−２−１の場合と同様に、再生可能エネルギー発電装置１０と電力系統２とのそれぞれから、水素発生装置４０へ電力Ｅ１０ｂ，Ｅ２ａを供給しない。つまり、水素発生装置４０においては、水素Ｈ４０が生成されない。
【０３３６】
条件２−３の場合には、条件２−２−１および条件２−２−３の場合と同様に、再生可能エネルギー発電装置１０が発電した電力Ｅ１０ｃを電力系統２へ出力しない（Ｅ１０ｃ＝０）。つまり、売電を行わない。
【０３３７】
そして、上述したように、水素貯蔵装置５０から燃料電池自動車４へ水素Ｈ５０ａの供給が行われる。
【０３３８】
［Ｂ−５］水素貯蔵モード
水素貯蔵モードは、上述したように、水素貯蔵装置５０が貯蔵する水素の貯蔵量が目標量に達するように、電力供給システム１の動作を制御する運転モードである。たとえば、イベントが行われる時点よりも前の時点が目標時点として入力され、最大貯蔵量Ｓｍａｘが目標量として設定されているときには、制御装置７０は、そのイベントが行われる前の時点で水素の貯蔵量が最大貯蔵量Ｓｍａｘになるように、制御を行う。
【０３３９】
図９Ａ，図９Ｂに示すように、水素貯蔵モードを実行する際には、水素外部供給モードの場合と同様に、負荷部３の電力使用の状況と、再生可能エネルギー発電装置１０の発電の状況と、水素貯蔵装置５０の水素貯蔵の状況とのそれぞれに応じて、制御装置７０が各部の動作を制御する。
【０３４０】
図８Ａ，図８Ｂと図９Ａ，図９Ｂとを比較して判るように、水素外部供給モードでは、各条件（条件１−１−１から条件２−３）に関わらずに、水素貯蔵装置５０から燃料電池自動車４へ水素Ｈ５０ａを供給しているが、水素貯蔵モードでは、水素貯蔵装置５０から燃料電池自動車４へ水素Ｈ５０ａを供給しない。この点を除き、水素貯蔵モードは、水素外部供給モードの場合と同様に、各部が制御される。
【０３４１】
水素貯蔵モードを実行することによって、水素貯蔵装置５０が貯蔵する水素の貯蔵量を、目標時点（たとえば、イベントの開始時点よりも前の時点）において、目標量（たとえば、最大貯蔵量Ｓｍａｘ）にする。
【０３４２】
水素貯蔵モードを実行した後であって、たとえば、イベントが行われるときには、水素貯蔵モードにおいて水素貯蔵装置５０に貯蔵された水素Ｈ５０を用いて、燃料電池発電装置６０が発電を行い、その発電によって発生した電力Ｅ６０を負荷部３に出力する。
【０３４３】
本実施形態では、水素貯蔵モードを実行した後には、上述の内部負荷モードと自立運転モードとの一方を実行するように制御を行う。たとえば、操作者が入力した操作信号に応じて、内部負荷モードと自立運転モードとの一方を選択して実行する。内部負荷モードと自立運転モードとの一方を実行する際に、必要に応じて、燃料電池発電装置６０で発電を行い、その発電によって発生した電力Ｅ６０を負荷部３に出力する。
【０３４４】
水素貯蔵モードを実行した後においては、上述の内部負荷モードと自立運転モードとの一方を自動的に実行する。たとえば、イベントが実施される日時を操作者が入力し、その入力された日時に合わせて、内部負荷モードと自立運転モードとの一方を実行するように、制御装置７０が各部の動作を制御する。この他に、水素貯蔵モードを実行した後に、操作者が入力した操作信号に応じて、内部負荷モードと自立運転モードとの一方を実行するよう構成されていてもよい。
【０３４５】
［Ｃ］まとめ
以上のように、本実施形態の電力供給システム１では、水素貯蔵モードを実行することによって、水素貯蔵装置５０が貯蔵する水素の貯蔵量が目標量に達するように、電力供給システム１の動作が制御される。このため、本実施形態では、必要なときに、水素の貯蔵量が不十分になる状態を容易に回避可能である。
【０３４６】
本実施形態では、水素貯蔵モードを行う操作指令が入力されたときには、水素貯蔵装置５０が貯蔵する水素の貯蔵量が目標時点において、上記の目標量に達するように、電力供給システム１の動作を制御する。このため、本実施形態では、たとえば、イベントが行われるときのように電力が多く必要な際に、水素の貯蔵量が十分であって、燃料電池発電装置６０から電力を安定的に供給することができる。つまり、本実施形態では、水素貯蔵モードが設定されているので、「多くの電力を必要とする事象に備えて、水素を貯めておきたい」要求に対応することができる。その結果、本実施形態の電力供給システム１は、電力を安定的に供給することを容易に実現可能である。
【０３４７】
また、本実施形態の電力供給システム１では、運転モードとして、内部負荷モードと売電モードと自立運転モードと水素外部供給モードと水素貯蔵モードとが設定されており、上記の複数の運転モードから選択された運転モードを実行可能である。したがって、本実施形態では、状況に応じて、電力を安定的に供給することを容易に実現可能である。具体的には、本実施形態では、水素外部供給モードが設定されているので、外部に供給するために、水素を優先的に製造し貯蔵したい要求に対応することができる。また、売電モードが設定されているので、売電による収入を拡大したい要求に対応することができる。また、内部負荷モードが設定されているので、電力供給システム１の電力Ｅ１０ａ，Ｅ６０を、電力系統２の電力Ｅ２よりも優先的に負荷部３へ供給する要求に対応することができる。また、自立運転モードが設定されているので、たとえば、異常時（災害時など）または孤島に設置された場合のように、電力系統２の電力Ｅ２が供給されない状態のときに負荷部３へ電力を供給する要求に対応することができる。
【０３４８】
本実施形態の電力供給システム１において、水素発生装置４０と水素貯蔵装置５０と燃料電池発電装置６０とのそれぞれは、個別にパッケージ化されたものであって、運搬可能である。このため、たとえば、災害時において、電力供給システム１を被災地域に迅速に設置することができる。
【０３４９】
［Ｄ］変形例
上記の実施形態において、電力供給システム１は、再生可能エネルギー発電装置１０が出力した直流電力がコンバータによって調整された後に、直流電力（＝Ｅ１０ｂ）のまま、水素発生装置へ供給されるように構成されていてもよい。
【０３５０】
上記の実施形態において、電力供給システム１は、既に設置されている再生可能エネルギー発電装置１０において再生可能エネルギーを利用して発電された電力を用いて、水素発生装置４０の運転が行われるように構成されていてもよい。
【０３５１】
上記の実施形態では、再生可能エネルギー発電装置１０は、太陽光発電装置である場合について説明したが、これに限らない。再生可能エネルギー発電装置１０は、太陽光以外に、風力、太陽熱、地熱、バイオマスなどの他の再生可能エネルギーを用いて発電を行う発電装置であってもよい。
【０３５２】
上記の実施形態では、水素発生装置４０の水電解装置４０１が固体高分子（ＰＥＭ）水電解によって水素を生成する場合について説明したが、これに限らない。水電解装置４０１は、アルカリ水電解やＳＯＥＣ（Ｓｏｌｉｄ  Ｏｘｉｄｅ  Ｅｌｅｃｔｒｏｌｙｓｉｓ  Ｃｅｌｌ）による高温水蒸気電解によって水素を生成するように構成されていてもよい。
【０３５３】
上記の実施形態では、水素発生装置４０は、水の電気分解によって水素を発生する場合について説明したが、これに限らない。水素発生装置４０は、有機ハイドライドについて脱水素反応が生じさせることによって水素を発生するように、構成されていてもよい。また、水素発生装置４０は、触媒反応、光触媒や熱分解で水素を発生するように、構成されていてもよい。
【０３５４】
上記の実施形態では、電力供給システム１が再生可能エネルギー発電装置１０を備える場合について説明したが、これに限らない。再生可能エネルギー発電装置１０を備えていなくてもよい。この場合には、水素発生装置４０は、外部の電力系統２から供給された電力を用いて、水素の生成を行う。
【０３５５】
上記の実施形態では、水素貯蔵装置５０は、水素貯蔵タンク５０１を含む場合について説明したが、これに限らない。水素貯蔵装置５０は、水素吸蔵合金を用いて水素を貯蔵するように構成されていてもよい。
【０３５６】
上記の実施形態では、電力供給システム１は、電力系統２（商用電源）に連系され、電力系統２から電力が供給されるように構成されているが、これに限らない。電力供給システム１は、電力系統２から電力が供給されなくてもよい。
【０３５７】
上記の実施形態において、電力供給システム１は、水素発生装置４０と水素貯蔵装置５０と燃料電池発電装置６０とのそれぞれが個別にパッケージ化されたものである場合について説明したが、これに限らない。それぞれがパッケージ化されていなくてもよい。その他、たとえば、コンテナ（２００，４００，６００等）の上に再生可能エネルギー発電装置１０（太陽光発電（ＰＶ）装置）を設置することによって、再生可能エネルギー発電装置１０を運搬可能にしてもよい。
【０３５８】
本実施形態の電力供給システム１は、必要に応じて、複数の水素発生装置４０を備え、その複数の水素発生装置４０のそれぞれが、水素貯蔵装置５０へ水素を供給するように構成されていてもよい。これにより、水素の発生量を増大させることができる。
【０３５９】
本実施形態の電力供給システム１は、必要に応じて、複数の水素貯蔵装置５０を備え、その複数の水素貯蔵装置５０のそれぞれが、水素発生装置４０から供給された水素を貯蔵すると共に、その貯蔵した水素を燃料電池発電装置６０へ供給するように構成されていてもよい。これにより、水素の貯蔵量を増大させることができる。
【０３６０】
本実施形態の電力供給システム１は、必要に応じて、複数の燃料電池発電装置６０を備え、その複数の燃料電池発電装置６０のそれぞれが、電力および温水を負荷部３に供給するように構成されていてもよい。これにより、発電量を増大させることができる。
【０３６１】
本実施形態の電力供給システム１は、蓄電池（図示省略）を含むように構成されていてもよい。この場合には、蓄電池は、再生可能エネルギー発電装置１０で発電された電力を蓄電し、その蓄電した電力を負荷部３に供給する。これと共に、蓄電池は、燃料電池発電装置６０で発電された電力を蓄電し、その蓄電した電力を負荷部３に供給する。これにより、更に安定的に電力供給を行うことができる。
【０３６２】
本実施形態の電力供給システム１は、貯水装置（図示省略）を含むように構成されていてもよい。この場合には、貯水装置は、たとえば、給水タンク（図示省略）を有し、水道を介して供給された水を給水タンクで貯蔵し、その貯蔵した水を水素発生装置４０へ供給する。これにより、必要に応じて、水素発生装置４０に貯水装置から水が供給され、水素を生成することができる。これと共に、貯水装置は、貯蔵した水を燃料電池発電装置６０に水を供給するように構成されていてもよい。これにより、燃料電池発電装置６０において加熱された水Ｗ６０が負荷部３に安定的に供給される。
【０３６３】
本実施形態の電力供給システム１は、負荷部３で使用される温水の使用量に応じて、燃料電池発電装置６０で加熱した水Ｗ６０の供給量を、制御装置７０が制御するように構成されていてもよい。この場合には、制御装置７０は、燃料電池発電装置６０で加熱して供給する水Ｗ６０の温水供給量が、負荷部３で使用される温水の使用量よりも多いときに、その加熱された水Ｗ６０を、上記の貯水装置に戻す。このため、本実施形態では、貯水装置において効果的に水を確保することができる。
【０３６４】
本実施形態の電力供給システム１では、水素外部供給モードを実行するときに、燃料電池自動車４へ水素を供給する場合について説明したが、これに限らない。当然ながら、水素外部供給モードを実行していないときに、燃料電池自動車４へ水素を供給してもよい。このとき、水素発生装置４０を駆動させなくてもよい。
【０３６５】
以上説明した少なくとも１つの実施形態によれば、必要なときに水素の供給を十分に行うことが可能であって、必要に応じて燃料電池発電装置で発電を行うことが可能な電力供給システムを提供することができる。
【０３６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０３６７】
１…電力供給システム、２…電力系統、３…負荷部、４…燃料電池自動車、１０…再生可能エネルギー発電装置、４０…水素発生装置、５０…水素貯蔵装置、６０…燃料電池発電装置、７０…制御装置、４００…コンテナ、４０１…水電解装置、４０１ａ…純水製造装置、４０２…コンプレッサ、４０３…チラーユニット、５００…コンテナ、５０１…水素貯蔵タンク、５０２…電磁弁、６００…コンテナ、６０１…燃料電池、６０２…インバータ、６０３…貯湯タンク
【図１】
0006030158.tif 000002
【図２】
0006030158.tif 000003
【図３】
0006030158.tif 000004
【図４】
0006030158.tif 000005
【図５Ａ】
0006030158.tif 000006
【図５Ｂ】
0006030158.tif 000007
【図６Ａ】
0006030158.tif 000008
【図６Ｂ】
0006030158.tif 000009
【図７Ａ】
0006030158.tif 000010
【図７Ｂ】
0006030158.tif 000011
【図８Ａ】
0006030158.tif 000012
【図８Ｂ】
0006030158.tif 000013
【図９Ａ】
0006030158.tif 000014
【図９Ｂ】
0006030158.tif 000015